(57)【特許請求の範囲】
【請求項１】
識別情報を表示可能な視認領域を有する可変表示手段を備え、
所定条件成立に基づいて行われる抽選の結果が、前記可変表示手段の視認領域において表示される識別情報によって教示可能に構成された遊技機であって、
前記可変表示手段は、
外周面において識別情報が付された識別情報列を有する回転体と、
前記回転体を軸支するとともに、前記回転体を回転させることで前記識別情報を変位させる回転駆動手段と、
情報部を有する情報手段とを備え、
前記回転体の回転軸線方向において、前記回転体と前記情報手段とが相対的に変位可能に構成され、
前記情報手段の前記情報部は、前記回転体との相対変位に伴って、前記視認領域において遊技者から視認可能な状態と視認不可能な状態とに状態変化するとともに、
前記回転体は、前記情報手段のうち少なくとも前記情報部を内側に収容した状態で回転可能に構成され、
前記可変表示手段は、前記識別情報列を１列ずつ表示可能な識別情報列表示領域を前記回転体の回転軸線方向において並ぶようにして複数備え、
前記回転体には、少なくとも前記情報部を内側に収容可能な部位の外周において前記識別情報列が設けられるとともに、当該情報部を収容可能な部位に設けられた識別情報列は、前記情報部を視認可能とした状態において、前記情報部を内側に収容して視認不可能とした状態のときに視認されていた前記識別情報列表示領域とは異なる前記識別情報列表示領域で視認可能に構成されていることを特徴とする遊技機。
【請求項２】
前記遊技機は、パチンコ機、スロットマシン、又は、パチンコ機とスロットマシンとを融合した形式の遊技機であることを特徴とする請求項１に記載の遊技機。
【発明の詳細な説明】
【技術分野】
【０００１】
本発明は、パチンコ機等の遊技機に関するものである。
【背景技術】
【０００２】
一般に、パチンコ機等の遊技機には、複数種類の図柄等を変動表示可能な可変表示手段が設けられている。そして、始動条件が成立することによって、遊技者にとって有利な状態である特別遊技状態を発生させるか否かの当否抽選が行われるとともに、前記可変表示手段において図柄の変動表示が開始され、所定時間後、自動的に或いは所定の停止操作によって、図柄の変動表示が当否抽選の結果に応じた態様にて停止させられる構成となっている（例えば、特許文献１参照）。また、遊技機には、可変表示手段として外周面に複数種類の図柄が配列された円環状の回転体を備え、回転体を回転させることで図柄の変動表示を行うものがある。
【先行技術文献】
【特許文献】
【０００３】
【特許文献１】特開２００３−１５４１１０号公報
【発明の概要】
【発明が解決しようとする課題】
【０００４】
しかしながら、可変表示手段として回転体を採用する場合、回転体の回転速度に変化をつけたり、回転方向を反対にしたりする等のことはできるものの、回転体自体の態様には変化がなく、回転体が決まった位置で回転するだけであるため、可変表示手段における視認態様の変化が乏しいものとなってしまうおそれがある。
【０００５】
本発明は、上記例示した問題点等を解決するためになされたものであり、その目的は、回転体を使用して変化に富む演出を実現することのできる遊技機を提供することにある。
【課題を解決するための手段】
【０００６】
請求項１に記載の遊技機は、
識別情報を表示可能な視認領域を有する可変表示手段を備え、
所定条件成立に基づいて行われる抽選の結果が、前記可変表示手段の視認領域において表示される識別情報によって教示可能に構成された遊技機であって、
前記可変表示手段は、
外周面において識別情報が付された識別情報列を有する回転体と、
前記回転体を軸支するとともに、前記回転体を回転させることで前記識別情報を変位させる回転駆動手段と、
情報部を有する情報手段とを備え、
前記回転体の回転軸線方向において、前記回転体と前記情報手段とが相対的に変位可能に構成され、
前記情報手段の前記情報部は、前記回転体との相対変位に伴って、前記視認領域において遊技者から視認可能な状態と視認不可能な状態とに状態変化するとともに、
前記回転体は、前記情報手段のうち少なくとも前記情報部を内側に収容した状態で回転可能に構成され、
前記可変表示手段は、前記識別情報列を１列ずつ表示可能な識別情報列表示領域を前記回転体の回転軸線方向において並ぶようにして複数備え、
前記回転体には、少なくとも前記情報部を内側に収容可能な部位の外周において前記識別情報列が設けられるとともに、当該情報部を収容可能な部位に設けられた識別情報列は、前記情報部を視認可能とした状態において、前記情報部を内側に収容して視認不可能とした状態のときに視認されていた前記識別情報列表示領域とは異なる前記識別情報列表示領域で視認可能に構成されていることを特徴としている。
【発明の効果】
【０００７】
本発明によれば、回転体を使用して変化に富む演出を実現することができる。
【図面の簡単な説明】
【０００８】
【図１】一実施形態におけるパチンコ機の正面図である。
【図２】パチンコ機の斜視図である。
【図３】内枠及び前面枠セットを開放したパチンコ機の斜視図である。
【図４】内枠および遊技盤等の構成を示す正面図である。
【図５】パチンコ機の背面図である。
【図６】パチンコ機の主な電気的構成を示すブロック図である。
【図７】第１スライド状態にあるリール表示装置を鉛直方向に切断した場合の断面図である。
【図８】第２スライド状態にあるリール表示装置の断面図である。
【図９】リール表示装置の模式斜視図である。
【図１０】第１支持フレームの正面図である。
【図１１】スライドベース及び支柱部の一部断面を含む部分斜視図である。
【図１２】貼着前の図柄シートを示す正面図である。
【図１３】第１スライド状態にあるリール表示装置等を水平方向に切断した場合の模式断面図である。
【図１４】第１スライド状態にある場合の装飾図柄の視認態様の一例を示す装飾図柄表示装置の正面図である。
【図１５】第２スライド状態にあるリール表示装置等の模式断面図である。
【図１６】第２スライド状態にある場合の装飾図柄の視認態様の一例を示す装飾図柄表示装置の正面図である。
【発明を実施するための形態】
【０００９】
以下、パチンコ遊技機（以下、単に「パチンコ機」という）の一実施形態を、図面に基づいて詳細に説明する。図３等に示すように、パチンコ機１０は、当該パチンコ機１０の外郭を構成する外枠１１を備えており、この外枠１１の一側部に内枠１２が開閉可能に支持されている。尚、図３では便宜上、遊技盤３０面上に配設される釘や役物、前面枠セット１４に取付けられるガラスユニット１３７等を省略して示している。
【００１０】
外枠１１は、図３、図５等に示すように、上辺枠構成部１１ａ及び下辺枠構成部１１ｂが木製の板材により構成され、左辺枠構成部１１ｃ及び右辺枠構成部１１ｄがアルミニウム合金製の押出成形材により構成され、これら各枠構成部１１ａ〜１１ｄがネジ等の離脱可能な締結具により全体として矩形枠状に組み付けられている。
【００１１】
図１、図２に示すように、左辺枠構成部１１ｃの上下端部には、それぞれ上ヒンジ８１及び下ヒンジ８２が取着されている。当該上ヒンジ８１及び下ヒンジ８２にて、内枠１２の上下部が回動可能に支持されており、これにより内枠１２が開閉可能となる。そして、外枠１１の内側に形成される空間部に内枠１２等が収容される。
【００１２】
また、図５に示すように、右辺枠構成部１１ｄには、その幅方向後端部近傍から外枠１１内側へ向け突出した延出壁部８３が形成されている。延出壁部８３は、内枠１２の右側部背面側に設けられる施錠装置６００（図３参照）に対応する上下区間全域を内枠１２の背面側から覆っている。加えて、図３に示すように、延出壁部８３の前面側には、施錠装置６００の係止部材が係止される上下一対の受部８４，８５が設けられている。また、下側の受部８５には、後述する内枠開放検知スイッチ９２に当接する押圧部８６が、外枠１１内側に向けて突設されている。
【００１３】
さらに、下辺枠構成部１１ｂには樹脂製の幕板飾り８７が取着されている。幕板飾り８７の上面奥部には、上方に突出するリブ８８が一体形成されている。これにより内枠１２との間に隙間が形成されにくくなっている。
【００１４】
図３に示すように、内枠１２の開閉軸線は、パチンコ機１０の正面からみて左側において上下に沿って設定されており、この開閉軸線を軸心として内枠１２が前方側に開放できるようになっている。内枠１２は、外形が矩形状をなす樹脂ベース３８を主体に構成されており、当該樹脂ベース３８の中央部には略楕円形状の窓孔３９が形成されている。
【００１５】
また、内枠１２の前面側には前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００１６】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００１７】
図１に示すように、前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。加えて、下皿１５の左部には、ＬＥＤが内蔵された演出ボタン１２５が設けられており、演出ボタン１２５を押圧操作することで、後述する装飾図柄表示装置４２等において対応する演出が行われたり、演出内容が変更されたりする。
【００１８】
下皿１５の右方には、手前側に突出した遊技球発射ハンドル（以下、単にハンドルという）１８が設けられている。尚、ハンドル１８には、図示しないタッチセンサや、ハンドル１８の操作部の操作量を検出するための図示しない操作量検出手段（可変抵抗器）が設けられている。そして、ハンドル１８が右回りに回動操作されると、回動操作量に応じた強さで、後述する発射手段としての発射装置６０によって遊技球が発射される。また、ハンドル１８には、ハンドル１８を握った右手の親指で押圧操作可能な発射禁止ボタン１８ａが設けられている。当該発射禁止ボタン１８ａを押圧した状態においては、ハンドル１８を握っていたとしても、発射装置６０による遊技球の発射が禁止される。このため、遊技球の発射を禁止しつつハンドル１８の回動操作を行ったり、ハンドル１８を握った状態で、一時的に遊技球の発射を止めたりすることができる。
【００１９】
下皿１５の上方には上皿１９が設けられている。上皿１９は、遊技球を一旦貯留し、一列に整列させながら後述する発射装置６０の方へ案内する球受皿である。尚、上皿１９が遊技球で満杯になった状態では、払出される遊技球は、後述する下皿連通路７１及び排出口１６を介して、下皿１５へと案内される。
【００２０】
上皿１９には球貸しボタン１２１と返却ボタン１２２とが設けられている。これにより、遊技ホール等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００２１】
さらに、上皿１９には、球抜きボタン１２３が設けられている。球抜きボタン１２３が押圧操作されることで、上皿１９の球案内路の下流側に設けられ、下皿１５に連通する連通孔（図示略）が開口し、上皿１９に貯留されていた遊技球が下皿１５へと案内される（落下する）。つまり、遊技者は、球抜きボタン１２３を操作することで、上皿１９にある遊技球をいつでも下皿１５に移すことができる。
【００２２】
また、前面枠セット１４の前面にはその周囲に各種ランプ等の発光手段が設けられている。これら発光手段は、大当たり時や所定のリーチ時等における遊技状態の変化に応じて点灯、点滅といった発光態様が変更制御され遊技中の演出効果を高める役割を果たすものである。例えば、窓部１０１の周縁には、ＬＥＤ等の発光手段を内蔵した環状電飾部１０２が設けられている。また、該環状電飾部１０２の両側部には、所定のエラー時に点灯するエラー表示ランプ１０４が設けられている。尚、環状電飾部１０２のうち各エラー表示ランプ１０４の上方部位には、前面枠セット１４の背面に設けられるスピーカＳＰ（図３参照）に対応して細かな透孔が多数形成されている。
【００２３】
前面枠セット１４の背面側にはガラスユニット１３７が取付けられている。ガラスユニット１３７は、従来の前後一対の矩形状の板ガラスが前後対をなして別々に取着されるものではなく、全体として丸形をなし、アッセンブリ化された上で取付けられている。
【００２４】
次に、内枠１２（樹脂ベース３８）について図４を参照して説明する。上述した通り、内枠１２（樹脂ベース３８）には、窓孔３９の後側において遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００２５】
また、内枠１２（樹脂ベース３８）の前面下部、すなわち窓孔３９（遊技盤３０）の下方位置には、発射装置６０及び当該発射装置６０より発射された直後の遊技球を案内する発射レール６１が取付けられている。本実施形態では、発射装置６０としてソレノイド式発射装置を採用している。また、発射装置６０の上方には、上皿１９から案内される遊技球を、内蔵された駆動手段（例えばソレノイド）の駆動により、１球ずつ発射装置６０の発射位置へと案内する球送り装置６３が設けられている。
【００２６】
次に、遊技盤３０の構成について図４を参照して説明する。遊技盤３０には、一般入賞口３１、可変入賞装置３２、始動入賞ユニット（始動口）３３、スルーゲート３４、可変表示装置ユニット３５、第１特別表示装置４３Ｌ及び第２特別表示装置４３Ｒ等がルータ加工によって形成された貫通孔に配設され、遊技盤３０前面側から木ネジ等により取付けられている。周知の通り一般入賞口３１、可変入賞装置３２、始動入賞ユニット３３などの各種入賞口に遊技球が入球（入賞）すると、各種検出スイッチにより検出され、上皿１９（又は下皿１５）へ所定数の賞球が払い出される。例えば、始動入賞ユニット３３への入球があった場合には３個、一般入賞口３１への入球があった場合には１０個、可変入賞装置３２への入球があった場合には１５個の遊技球が上皿１９（下皿１５）に払出される。その他に、遊技盤３０にはアウト口３６が設けられており、一般入賞口３１等の各種入賞口に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００２７】
可変入賞装置３２は、通常は遊技球が入賞できない閉状態になっており、大当たり状態（特別遊技状態の発生）の際に、遊技球が入賞可能な開状態とされる。尚、図示は省略するが、可変入賞装置３２は、遊技盤３０の後方へと通じる大入賞口（入賞口）と、大入賞口を開閉するシャッタ（可動部）と、シャッタを動作させるための大入賞口ソレノイド（駆動手段）と、大入賞口に入球した遊技球を検出するカウントスイッチ２２３とを備え、大入賞口ソレノイドを駆動制御し、シャッタを開閉させることで、可変入賞装置３２（大入賞口）を閉状態と開状態とに切替えている。
【００２８】
始動入賞ユニット３３は、始動入球手段としての上入賞口３３ａ、及び下入賞口３３ｂと、下入賞口３３ｂの両側部に設けられた開閉する一対の開閉部材３３ｃとを備えている。開閉部材３３ｃが所定条件の成立に応じて開閉動作することにより、下入賞口３３ｂの側方を流下する遊技球が下入賞口３３ｂへと案内される開状態と、案内されない閉状態との間で状態変化可能に構成されている。尚、詳しくは後述するが、始動入賞ユニット３３は、上入賞口３３ａ、下入賞口３３ｂに入球した遊技球をそれぞれ検知する始動入球検知手段としての第１始動入賞スイッチ２２４ａ、及び第２始動入賞スイッチ２２４ｂを備えており、当該始動入賞スイッチ２２４ａ、２２４ｂにて遊技球が検知された場合に、大当たり状態を発生させるか否かを決める当否抽選が行われるとともに、特別表示装置４３Ｌ、４３Ｒ（及び後述する装飾図柄表示装置４２）にて、当該当否抽選の結果を教示するための変動表示が行われる構成となっている。そして、当否抽選にて大当たりに当選した場合には、可変入賞装置３２が開放される特別遊技状態としての大当たり状態が付与されることとなる。
【００２９】
また、本実施形態では、当否抽選にて所定の確率で大当たりに当選する低確率状態と、当否抽選にて低確率状態よりも高確率で大当たりに当選する高確率状態とがある。さらに、開閉部材３３ｃが比較的頻繁に開放され、遊技球を下入賞口３３ｃへ入球させ易くなる高入球状態と、開閉部材３３ｃがほとんど開状態とされず、遊技球を下入賞口３３ｂへ入球させ難い低入球状態とがある。以下、低確率状態かつ低入球状態である状態を「通常モード」と称し、低確率状態かつ高入球状態である状態を「時間短縮モード」と称し、高確率状態かつ高入球状態である状態を「確変モード」と称する。また、本実施形態では、通常モード及び確変モードは大当たり状態が発生するまで継続されるのに対し、時間短縮モードは大当たり状態が発生しなくても特別表示装置４３Ｌ、４３Ｒ及び装飾図柄表示装置４２における変動表示が１００回行われると終了し、通常モードに移行する構成となっている。
【００３０】
本実施形態の大当たり種別は、１５ラウンド通常ボーナス（以下「１５ＲＮ」と言う）と、１５ラウンドスーパーボーナス（以下「１５ＲＳ」と言う）と、７ラウンドスーパーボーナス（以下「７ＲＳ」と言う）との３種類である。そして、可変入賞装置３２が３０秒間開放されること、又は、可変入賞装置３２が開放されてから可変入賞装置３２に８個の遊技球が入球することを１ラウンドとして、「１５ＲＮ」、「１５ＲＳ」に関しては、それが１５回繰り返され、一方、「７ＲＳ」に関しては、それが７回繰り返されてから、大当たり状態が終了する。また、「１５ＲＳ」、「７ＲＳ」の大当たり状態終了後には「確変モード」が付与され、「１５ＲＮ」の大当たり状態終了後には「時間短縮モード」が付与される。
【００３１】
尚、上入賞口３３ａへの遊技球の入球に基づいて大当たりに当選した場合と、下入賞口３３ｂへの遊技球の入球に基づいて大当たりに当選した場合とで、「１５ＲＮ」となる割合は同じであるが、「１５ＲＳ」となる割合（換言すれば「７ＲＮ」となる割合）が異なっている。
【００３２】
第１及び第２特別表示装置４３Ｌ、４３Ｒは、それぞれ２文字（及びドット）を表示可能なタイプの７セグメント表示装置により構成され、可変入賞装置３２の右方に設置されている。そして、始動入賞ユニット３３の上入賞口３３ａへの遊技球の入球を契機として第１特別表示装置４３Ｌにて切替表示（変動表示）が行われ、下入賞口３３ｂへの遊技球の入球を契機として第２特別表示装置４３Ｒにて切替表示（変動表示）が行われる構成となっている。尚、特別表示装置４３Ｌ、４３Ｒは、後述する主制御手段としての主制御装置２６１によって表示内容が直接的に制御される。
【００３３】
また、第１及び第２特別表示装置４３Ｌ、４３Ｒにて変動表示が行われた後、当該変動表示が停止したときの表示態様により、当否抽選の結果、すなわち、「大当たり」又は「外れ」であることが確定的に表示される。例えば、上入賞口３３ａに遊技球が入賞すると、対応する第１特別表示装置４３Ｌにて点灯態様（点灯するセグメントの組合わせ）が高速で（例えば４ｍｓｅｃ毎に）切替表示（変動表示）され、所定時間が経過すると、いずれかの点灯態様を停止表示（例えば数秒間停止）する。そして、当否抽選にて「大当たり」に当選した場合には、対応する点灯態様が変動停止時に表示され、大当たり状態が発生する。
【００３４】
さらに、特別表示装置４３Ｌ、４３Ｒにおいては、「大当たり」に当選したことが教示されるだけでなく、大当たり状態の種別、すなわち、「１５ＲＮ」、「１５ＲＳ」、「７ＲＳ」のいずれであるかについても教示される。例えば、第１特別表示装置４３Ｌ（又は第２特別表示装置４３Ｒ）において最終的に「７．７．」が表示された（停止表示された）場合には「１５ＲＳ」が付与され、「ｎ．０．」が表示された場合には「１５ＲＮ」が付与されるといった具合に対応付けられている。また、１つの大当たり種別を教示する特別表示装置４３Ｌ、４３Ｒの停止態様は１つではなく複数存在し、例えば、「１５ＲＳ」が発生する場合、第１特別表示装置４３Ｌ（又は第２特別表示装置４３Ｒ）において、「７．７．」、「Ｐ．ｂ」、「５．Ｌ．」、「Ａ．３」・・・のいずれかが選択されて停止表示される。また、第１特別表示装置４３Ｌ、第２特別表示装置４３Ｒのどちらか一方において、変動表示又は決定表示が行われている場合には、他方が消灯状態とされており（「−」を表示しておいてもよい）、どちらにおいても変動表示及び決定表示が行われていない場合には、両方においてそれぞれ「−」が表示される。
【００３５】
また、第１又は第２特別表示装置４３Ｌ、４３Ｒの変動表示中に新たに遊技球が始動入賞ユニット３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では、上入賞口３３ａに入賞した遊技球、及び下入賞口３３ｂに入賞した遊技球に対応して、それぞれ４回までの変動表示（合計８回の変動表示）が保留される。
【００３６】
また、上入賞口３３ａへの遊技球の入球に基づく変動表示（以下、「第１変動表示」と言う）の保留数は、青色に発光可能な第１保留ランプ４６ａにて点灯表示され、下入賞口３３ｂへの遊技球の入球に基づく変動表示（以下、「第２変動表示」と言う）の保留数は、赤色に発光可能な第２保留ランプ４６ｂにて点灯表示されるようになっている。保留ランプ４６ａ、４６ｂは、第１変動表示及び第２変動表示の各最大保留数と同じく４個ずつ設けられており、保留されている第１変動表示又は第２変動表示の数と同じ数だけ点灯する。当該保留ランプ４６ａ、４６ｂは、後述するサブ制御手段としてのサブ制御装置２６２によって表示内容が制御される。尚、大当たり状態中に新たに遊技球が始動入賞ユニット３３に入賞した場合、その分の変動表示についても保留される。
【００３７】
尚、保留された変動表示は、基本的に、保留された順番で消化されるようになっているが、第１変動表示及び第２変動表示の両方が保留されている場合（保留ランプ４６ａ、４６ｂがそれぞれ１つ以上点灯している場合）には、第２変動表示が優先的に消化されるようになっている。すなわち、下入賞口３３ｂへの入賞を契機とする第２変動表示が全て消化された状態でなければ、上入賞口３３ａへの入球を契機とする第１変動表示が行われない構成となっている。例えば、第１保留ランプ４６ａが１つ点灯している状態において、下入賞口３３ｂに遊技球が入球し、第２保留ランプ４６ｂが１つ点灯した場合、第１変動表示が後回しにされ、先に第２変動表示が行われることとなる。
【００３８】
変動特定ランプ４０は、装飾図柄表示装置４２にて行われている変動表示が上入賞口３３ａ及び下入賞口３３ｂのうちどちらの入球に対応するものであるか（第１変動表示又は第２変動表示のどちらであるか）を示すためのものである。変動特定ランプ４０は、発光色が青色のＬＥＤ及び発光色が赤色のＬＥＤを備えており、装飾図柄表示装置４２において第１変動表示が行われている場合には青色に発光し、第２変動表示が行われている場合には赤色に発光する。
【００３９】
スルーゲート３４は、遊技領域を流下する遊技球が１球ずつ通過可能に構成されている。詳しくは後述するが、スルーゲート３４は、当該スルーゲート３４を通過する遊技球を検知可能なスルーゲートスイッチ２２５を備えており、当該スルーゲートスイッチ２２５にて遊技球が検知された場合に、始動入賞ユニット３３を開状態とするか否かの入球アシスト抽選が行われるとともに、普通図柄表示装置４１にて当該入球アシスト抽選の結果を教示するための変動表示が行われる。そして、入球アシスト抽選にて当選した場合には、当該変動表示の終了後に始動入賞ユニット３３の下入賞口３３ｂ（開閉部材３３ｃ）が規定時間だけ開状態とされる。
【００４０】
可変表示装置ユニット３５には、スルーゲート３４の通過を契機として変動表示する普通図柄表示装置４１と、第１及び第２特別表示装置４３Ｌ、４３Ｒによる変動表示に合わせて変動表示する装飾図柄表示装置４２とが設けられている。さらに、可変表示装置ユニット３５には、上記第１保留ランプ４６ａ及び第２保留ランプ４６ｂと、保留ランプ４４と、変動特定ランプ４０とが設けられている。
【００４１】
普通図柄表示装置４１は、普通図柄として「○」又は「×」を点灯表示可能に構成されており、遊技球がスルーゲート３４を通過する毎に例えば普通図柄を「○」→「×」→「○」→・・・という具合に高速で切換表示（変動表示）する。そして、その変動表示が「○」図柄（当選図柄）で数秒間停止した場合には、始動入賞ユニット３３（開閉部材３３ｃ）が所定時間だけ開状態となる。この普通図柄表示装置４１は、後述する主制御装置２６１によって直接的に表示内容が制御される。
【００４２】
また、普通図柄表示装置４１の変動表示中に、新たに遊技球がスルーゲート３４を通過した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００４３】
装飾図柄表示装置４２は、識別情報としての装飾図柄を変動表示可能な液晶表示装置４０１を備えている。液晶表示装置４０１は、後述するサブ制御装置２６２及び表示制御装置４５によって表示内容が制御されている。すなわち、液晶表示装置４０１においては、第１及び第２特別表示装置４３Ｌ、４３Ｒにて表示される結果に対応させるように、主制御装置２６１からのコマンドに基づき、サブ制御装置２６２によって補助的な表示内容が決定され、当該決定に基づき、表示制御装置４５によって表示制御が行われる。
【００４４】
また、液晶表示装置４０１の表示領域を構成する液晶パネル４０２は、そのほぼ全域が前方から視認可能に構成されている。液晶パネル４０２による液晶表示装置４０１の表示領域は、左右方向において等間隔で３つの領域（識別情報列表示領域）に区画されており、左図柄表示領域４０３と、中図柄表示領域４０４と、右図柄表示領域４０５とから構成されている。そして、各図柄表示領域４０３、４０４、４０５において複数種類の装飾図柄（例えば１〜９の数字が付された数字図柄）が順次変動表示され、その後、主制御装置２６１からのコマンドに基づく態様にて装飾図柄が停止表示されるようになっている。例えば、主制御装置２６１にて大当たりが確定すると、第１又は第２特別表示装置４３Ｌ、４３Ｒにて大当たりに対応する表示がなされるとともに、装飾図柄表示装置４２にて図柄が大当たりに対応する組合わせで停止表示され（例えば、左図柄表示領域４０３、中図柄表示領域４０４、及び右図柄表示領域４０５にて停止表示される図柄が同一となり）、大当たり状態が開始される。
【００４５】
また、図柄が大当たりに対応する組合わせで停止表示される場合には、その前段階として、例えば、左図柄表示領域４０３及び右図柄表示領域４０５において同一の図柄が停止表示されることとなる。このように左図柄表示領域４０３及び右図柄表示領域４０５にて同一図柄が停止表示されるとともに、中図柄表示領域４０４において未だ変動表示が行われている状態がリーチ状態である。
【００４６】
本実施形態では、リーチ状態が発生した後、中図柄表示領域４０４において、左図柄表示領域４０３及び右図柄表示領域４０５において停止表示された装飾図柄（リーチ図柄）と同じ装飾図柄が停止表示された場合（ゾロ目が停止表示された場合）に、大当たり状態が付与される。また、奇数のゾロ目の場合には、大当たり状態終了後において確変モードが付与される「１５ＲＳ」又は「７ＲＳ」が付与され、偶数のゾロ目の場合には、「１５ＲＮ」、「１５ＲＳ」、又は「７ＲＳ」のいずれかが付与される。また、ゾロ目以外の装飾図柄の組合わせは基本的に「外れ」を教示するものである。
【００４７】
尚、変動表示において偶数のゾロ目が揃って全１５ラウンドの大当たり状態となった場合、遊技者は、装飾図柄表示装置４２を視認しているだけでは、「１５ＲＮ」又は「１５ＲＳ」のどちらの大当たりであるかの判別がつかない場合がある。つまり、特別表示装置４３Ｌ、４３Ｒが停止表示されたときの態様を視認すれば、大当たり状態の種別を判別可能であるが、それを視認しなかった、或いは、特別表示装置４３Ｌ、４３Ｒの停止態様と大当たり状態の種別との対応関係を把握していない遊技者は判別がつかない。また、本実施形態では、確変モード及び時間短縮モードにおける装飾図柄表示装置４２の態様が共通であり、「１５ＲＮ」又は「１５ＲＳ」のどちらの大当たりであったのかを判別できていないと、確変モード又は時間短縮モードのどちらであるのかを判別することができない。尚、全７ラウンドの大当たり状態は「７ＲＳ」しかないため、大当たり状態終了後には確変モードとなることを確実に把握することができる。
【００４８】
また、可変表示装置ユニット３５には、装飾図柄表示装置４２を囲むようにしてセンターフレーム４７が配設されている。センターフレーム４７の上部には入球口１５１が設けられており、該入球口１５１に入球した遊技球は、センターフレーム４７の内部に形成され、装飾図柄表示装置４２の側部に沿って上下に延びるワープ流路１５２を介して、装飾図柄表示装置４２の下方に形成されたステージ１５３上に案内される。ステージ１５３上に案内された遊技球は、ステージ１５３上から前方の遊技領域に転落したり、ステージ１５３上を転動した後ステージ１５３の中央奥側に形成されたポケット１５４に入球したりする。尚、ポケット１５４は、始動入賞ユニット３３（上入賞口３３ａ）の直上方の遊技領域へと通じる案内通路１５５と連通しており、該ポケット１５４に入球した遊技球は、比較的高い確率で始動入賞ユニット３３（上入賞口３３ａ）に入球するようになっている。
【００４９】
また、遊技盤３０には、内レール構成部５１と外レール構成部５２とからなり、発射装置６０から発射された遊技球を遊技盤３０上部へ案内するレール５０が取付けられている。これにより、ハンドル１８の回動操作に伴い発射された遊技球は発射レール６１及びレール５０を通じて、遊技盤３０とガラスユニット１３７との間に形成される遊技領域内に案内される。
【００５０】
内レール構成部５１の先端部分（図４の左上部）には戻り球防止部材５３が取着されている。これにより、一旦、レール５０から遊技領域へと案内された遊技球が再度レール５０内に戻ってしまうといった事態が防止される。また、外レール構成部５２の略先端部（図４の右上部）には、返しゴム５４が取着されている。所定以上の勢いで発射された遊技球は、返しゴム５４に当たって例えば遊技盤３０の略中央部側へ戻されることとなる。
【００５１】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、発射装置６０にて打出された遊技球が、戻り球防止部材５３を通過するまでは、レール５０を逆流する場合があるため、内外レール構成部５１，５２の並行部分は遊技領域から除かれる。
【００５２】
図３に示すように、前面枠セット１４の背面側には、窓部１０１の下方において、球通路ユニット７０が設けられている。球通路ユニット７０は、後述する払出機構部３５２から下皿１５の排出口１６へ繋がる下皿連通路７１と、払出機構部３５２から上皿１９へ繋がる上皿連通路７３と備えている。また、内枠１２の前面側に設けられた発射レール６１とレールユニット５０（外レール構成部５２）との間には所定間隔の隙間があり、前面枠セット１４の球通路ユニット７０には、前記隙間より落下した遊技球を下皿１５へと案内するファール球通路７２が形成されている。これにより、仮に、発射装置６０から発射された遊技球が戻り球防止部材５３まで至らずファール球としてレール５０を逆戻りする場合には、そのファール球がファール球通路７２を介して下皿１５に排出される。
【００５３】
また、図３及び図４中の符号６７は後述する払出機構部３５２により払出された遊技球を内枠１２の前方に案内するための払出通路であり、上皿連通路７３（上皿１９）に通じる通路と、下皿連通路７１（下皿１５）に通じる通路とに分かれている。払出通路６７の下方にはシャッタ６８が設けられており、前面枠セット１４を開放した状態では、バネ等の付勢力によりシャッタ６８が前方に突出して払出通路６７の出口をほぼ閉鎖するようになっている。また、前面枠セット１４を閉じた状態では、下皿連通路７１の入口側後端部によってシャッタ６８が押し開けられるようになっている。尚、下皿連通路７１及び上皿連通路７３の入口（球流入部）が隣接するとともに、前面枠セット１４の閉状態において当該各入口と払出通路６７とが所定距離だけ離間しており、両者間の隙間を遊技球が通過可能となっている。このため、上皿１９及び上皿連通路７３が遊技球で満杯となると、払出される遊技球が下皿連通路７１側に流れ（下皿連通路７１の入口側に溢れ）、下皿連通路７１を通って下皿１５に払出されることとなる。
【００５４】
加えて、球通路ユニット７０には、下皿連通路７１内に位置する遊技球を検知する満杯検知スイッチ（図示略）が設けられている。当該満杯検知スイッチの存在により、下皿１５が遊技球で満杯になっていること（下皿１５が遊技球で満杯となり、下皿連通路７１において遊技球が滞留していること）を把握することができる。本実施形態では、満杯検知スイッチによって所定時間継続して遊技球が検知されることに基づき、装飾図柄表示装置４２における表示や音声等を用いて下皿１５が満杯であることを教示するエラー報知の制御が行われる。尚、下皿連通路７１における遊技球の滞留が解消され、満杯検知スイッチにより遊技球が検知されなくなると（所定時間継続して検知されなくなると）エラー報知の状態が解除される。
【００５５】
次に、パチンコ機１０の背面構成について図５等を参照して説明する。パチンコ機１０の背面には、各種制御基板が上下左右に並べられるようにして、一部前後に重ねられるようにして配置されており、さらに、遊技球を供給する遊技球供給装置（払出機構）や樹脂製の保護カバー等が取り付けられている。払出機構及び保護カバーは１ユニットとして一体化されており、一般に樹脂部分を裏パックと称することもあるため、ここではそのユニットを「裏パックユニット２０３」と称する。
【００５６】
遊技盤３０の略中央部に配設された可変表示装置ユニット３５の背面側には、表示制御装置４５、サブ制御装置２６２、及び、詳しくは後述するリール表示装置４０８を駆動制御するためのリール制御装置４０９が着脱可能に取り付けられている。表示制御装置４５、リール制御装置４０９、及びサブ制御装置２６２はそれぞれ図示しない基板ボックスに収容されて固定されている。
【００５７】
フレームカバー２１３の下方には、一般入賞口３１、可変入賞装置３２及び始動入賞ユニット３３等を背後から覆うようにして、遊技盤３０に対して主制御装置２６１が回動可能に取付けられている。主制御装置２６１は透明樹脂材料等よりなる基板ボックス２６３に収容されている。基板ボックス２６３は、ボックスベースと該ボックスベースの開口部を覆うボックスカバーとを備え、これらボックスベースとボックスカバーとが封印部材によって連結されている。封印部材によって連結された基板ボックス２６３は、所定の痕跡を残さなければ開封できない構成となっている。これにより、基板ボックス２６３が不正に開封された旨を容易に発見することができる。
【００５８】
また、遊技盤３０には、一般入賞口３１等の各種入賞口に対応して、当該各種入賞口へ入球した遊技球を検出する入球検出スイッチが設けられている。具体的には、図４に示すように、一般入賞口３１に対応する位置には入賞口スイッチ２２１が設けられ、可変入賞装置３２にはカウントスイッチ２２３が設けられている。また、始動入賞ユニット３３には、上入賞口３３ａ及び下入賞口３３ｂそれぞれに対応して第１始動入賞スイッチ２２４ａ、第２始動入賞スイッチ２２４ｂが設けられている。さらに、スルーゲート３４に対応する位置にはスルーゲートスイッチ２２５が設けられている。
【００５９】
各種入球検出スイッチにて各々検出された検出結果は、主制御装置２６１に取り込まれる。そして、該主制御装置２６１よりその都度の入賞状況に応じた払出指令（遊技球の払出個数）が払出制御装置３１１に送信され、該払出制御装置３１１からの出力信号に基づき所定数の遊技球の払出しが実施される（スルーゲートスイッチ２２５により検出された場合を除く。）
この他、遊技盤３０の裏面には、図示は省略するが、可変入賞装置３２にて大入賞口を開放する大入賞口用ソレノイドが設けられ、始動入賞ユニット３３にて一対の開閉部材３３ｃを開閉駆動する入賞口用ソレノイドが設けられている。
【００６０】
次に、裏パックユニット２０３の構成を説明する。図５に示すように、裏パックユニット２０３は、樹脂成形された裏パック３５１と、遊技球の払出機構部３５２とを一体化したものである。また、裏パックユニット２０３は、内枠１２の左側部（図５では右側）に対して開閉可能に支持されており、上下方向に沿って延びる開閉軸線を軸心として後方に開放できるようになっている。加えて、裏パックユニット２０３の左上部（図５では右上部）には外部端子板２４０が設けられている。
【００６１】
外部端子板２４０は、遊技ホールのホールコンピュータなどへの各種情報送信を中継するためのものであり、複数の外部接続端子が設けられている。便宜上、符号は付さないが、例えば現在の遊技状態（大当たり状態や確変モード等）に関する情報を出力するための端子、後述する開放検知スイッチ９１，９２によって検出される前面枠セット１４や内枠１２の開放に関する情報を出力するための端子、入球エラー、下皿満タンエラー、タンク球無しエラー、払出しエラーなど各種エラー状態に関する情報を出力するための端子、払出制御装置３１１から払出される賞球数に関する情報を出力するための端子などが設けられている。
【００６２】
裏パック３５１は例えばＡＢＳ樹脂により一体成形されており、パチンコ機１０の後方に突出して略直方体形状をなす保護カバー部３５４を備えている。保護カバー部３５４は左右側面及び上面が閉塞され且つ下面のみが開放された形状をなし、少なくとも可変表示装置ユニット３５、表示制御装置４５、リール制御装置４０９、及びサブ制御装置２６２を覆うのに十分な大きさを有する。但し、本実施形態では、保護カバー部３５４が基板ボックス２６３の上部及び右部（図５では左側の部位）も合わせて覆う構成となっている。これにより、裏パックユニット２０３の閉鎖状態において、基板ボックス２６３の右部に設けられた封印部材、及び主制御装置２６１の上縁部に沿って設けられた端子部（基板側コネクタ）が覆われることとなる。
【００６３】
払出機構部３５２は、保護カバー部３５４を迂回するようにして配設されている。すなわち、保護カバー部３５４の上方には、上側に開口したタンク３５５が設けられており、このタンク３５５には遊技ホールの島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払出された遊技球は上皿１９等に供給される。
【００６４】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００６５】
裏パックユニット２０３（基板ボックス２６３）の下方には、内枠１２の左側部（図５では右側）にて軸支され、後方に開放可能な下枠セット２５１が設けられている。尚、一般入賞口３１等の各入賞口に入賞した遊技球は、下枠セット２５１において形成された排出通路部に集められ、排出通路部の排出シュートを通じてパチンコ機１０外部に排出される。なお、アウト口３６も同様に排出通路部に通じており、何れの入賞口にも入賞しなかった遊技球も排出シュートを介してパチンコ機１０外部に排出される。尚、本実施形態では、裏パックユニット２０３と下枠セット２５１とが別体として構成され、それぞれ独立して開閉可能であるが、裏パックユニット２０３と下枠セット２５１とが一体的に形成されることとしてもよい。
【００６６】
また、図５に示すように、下枠セット２５１の背面側には、払出制御装置３１１、発射制御装置３１２、電源装置３１３及びカードユニット接続基板３１４が前後に重ねられた状態で着脱可能に取り付けられている。
【００６７】
発射制御装置３１２及び電源装置３１３は基板ボックス３１３ａに収容されて下枠セット２５１の背面側に固定されている。尚、発射制御装置３１２及び電源装置３１３は、便宜上それぞれ独立した制御装置として説明するが、実際には１つの基板（プリント基板）により構成される。
【００６８】
また、払出制御装置３１１は、基板ボックス３１１ａに収容されて、基板ボックス３１３ａ（発射制御装置３１２及び電源装置３１３）の背面側に固定されている。尚、払出制御装置３１１が収容される基板ボックス３１１ａには、上述した主制御装置２６１が収容される基板ボックス２６３と同様に封印部材が設けられ、基板ボックス３１１ａの開封された痕跡が残るようになっている。
【００６９】
加えて、カードユニット接続基板３１４は、基板ボックス３１４ａに収容されて、基板ボックス３１３ａ（発射制御装置３１２及び電源装置３１３）の背面側に固定されている。なお、上記各基板ボックス３１１ａ，３１３ａ，３１４ａは透明樹脂材料等により構成されており、内部が視認可能となっている。
【００７０】
また、払出制御装置３１１には基板ボックス３１１ａから外方に突出する状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００７１】
さらに、電源装置３１３には基板ボックス３１３ａから外方に突出するＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技ホールの営業終了時に）電源遮断すると電源遮断前の状態が記憶保持されることから、電源投入時に初期状態に戻したい場合には、ＲＡＭ消去スイッチ３２３を押しながら電源を投入する。
【００７２】
また、内枠１２の右側部背面側には施錠装置６００が設けられている（図３参照）。施錠装置６００は、前面枠セット１４の前面側に露出するシリンダ錠７００（図１等参照）を備えており、該シリンダ錠７００の鍵穴に鍵を挿入し、一方に回動操作することで内枠１２を解錠でき、他方に回動操作することで前面枠セット１４を解錠できるようになっている。本実施形態では、内枠１２は外枠１１に対し施錠され、前面枠セット１４は内枠１２に対し施錠される。
【００７３】
尚、上記のように、外枠１１の右辺枠構成部１１ｄには、施錠装置６００に対応する上下区間全域を内枠１２の背面側から覆う延出壁部８３が形成されている（図５参照）。これにより、外枠１１の背面側から線材等を進入させ、当該線材等により施錠装置６００を操作することが困難となる。結果として、防御性能の向上を図ることができる。さらに、延出壁部８３は、裏パックユニット２０３及び下枠セット２５１の右端部（図５では左側の端部）を背面側から覆う構成となっており、内枠１２の閉状態においては、裏パックユニット２０３及び下枠セット２５１を開放できない構成となっている。
【００７４】
また、図４に示すように、内枠１２の前面側右下部（発射装置６０の右側）には、前面枠セット１４の開放を検知するための前面枠開放検知スイッチ９１が設けられ、図５に示すように、内枠１２の背面側右下部（図５では左下）には、内枠１２の開放を検知するための内枠開放検知スイッチ９２が設けられている。前面枠開放検知スイッチ９１及び内枠開放検知スイッチ９２は、それぞれスイッチ本体部に対して出没可能な検知部を備えており、前面枠開放検知スイッチ９１は検知部が前方に向くように設けられ、内枠開放検知スイッチ９２は検知部が後方へ向くように設けられる。そして、検知部がスイッチ本体部から突出した状態にある場合にはオン信号を主制御装置２６１に出力し、検知部がスイッチ本体部側に押圧され、スイッチ本体部に没入した状態ではオフ信号を主制御装置２６１に出力する構成となっている。つまり、前面枠開放検知スイッチ９１は前面枠セット１４の閉鎖時において検知部が前面枠セット１４の背面で押圧されてオフ状態となり、前面枠セット１４の開放時には、検知部が突出状態に戻ってオン状態となる。同様に、内枠開放検知スイッチ９２は内枠１２の閉鎖時において検知部が外枠１１の受部８５に一体形成された押圧部８６によって押圧されてオフ状態となり、内枠１２の開放時には検知部が突出状態に戻ってオン状態となる。
【００７５】
さて、本実施形態の装飾図柄表示装置４２の液晶表示装置４０１は透過型のものである。さらに、装飾図柄表示装置４２の水平断面を模式的に示す図１３等に示すように、液晶表示装置４０１においては、液晶パネル４０２の後方に反射板や遮光板等がなく、光源からの光を後方から液晶パネル４０２に導く透明な導光板４０６が存在するだけである。尚、液晶表示装置４０１の光源である図示しない冷陰極管は、導光板４０６に隣接して液晶表示装置４０１の表示領域外に配置されている。また、本実施形態の装飾図柄表示装置４２は、液晶表示装置４０１の液晶パネル４０２の後方においてリール表示装置４０８を備えている。従って、液晶表示装置４０１の表示制御を行って液晶パネル４０２の透過度を上げると、液晶パネル４０２越しにリール表示装置４０８を視認することができるようになっている。詳しくは後述するが、リール表示装置４０８でも識別情報としての装飾図柄を変動表示可能に構成されており、本実施形態では、液晶表示装置４０１とリール表示装置４０８とが協働して、装飾図柄表示装置４２における装飾図柄の変動表示を行うように構成されている。
【００７６】
また、液晶表示装置４０１は、液晶パネル４０２の部位毎に透過度を調節して、部位毎に後方のリール表示装置４０８を透視可能な状態と、透視不可能又は透視困難な状態とに状態変化可能に構成されている。すなわち、液晶表示装置４０１の液晶パネル４０２では、左・中・右の図柄表示領域４０３、４０４、４０５においてそれぞれ装飾図柄を変動表示可能に構成されているが、いずれかの図柄表示領域４０３、４０４、４０５を透過状態としてかかる図柄表示領域４０３、４０４、４０５での液晶表示を止め、その代わりに、液晶パネル４０２越しに視認されるリール表示装置４０８による装飾図柄の変動表示を視認させることができるように構成されている。もちろん、液晶パネル４０２では、各図柄表示領域４０３、４０４、４０５で装飾図柄を変動表示するだけでなく、３つに区画された図柄表示領域４０３、４０４、４０５の垣根を越えた（液晶パネル４０２を全体的に使った）演出表示を行うことも可能である。
【００７７】
尚、本実施形態では、液晶表示装置４０１及びリール表示装置４０８を具備する装飾図柄表示装置４２が可変表示手段を構成する。さらに、液晶表示装置４０１が遮蔽手段及び透過型表示手段を構成し、液晶パネル４０２がパネル部に相当する。また、本実施形態では、識別情報としての装飾図柄は、液晶表示装置４０１だけでなくリール表示装置４０８によっても表示されるのであるが、リール表示装置４０８は液晶表示装置４０１の液晶パネル４０２越しでしか視認することができない（液晶パネル４０２の領域内でのみ視認可能である）。従って、液晶パネル４０２によって構成される液晶表示装置４０１の表示領域（液晶表示装置４０１の枠の内周側）が可変表示手段の視認領域に相当する。
【００７８】
図７〜図９に示すように、リール表示装置４０８は、左右方向に延在する略円筒状の第１リール４１１と、第１リール４１１を回転させる第１回転モータ４１２と、第１リール４１１及び第１回転モータ４１２を左右方向にスライド可能に支持するスライド手段としてのスライド機構４１３と、第１リール４１１の内側に収容可能な略円筒状の第２リール４１４と、第２リール４１４を回転させる第２回転モータ４１５とを備えている。本実施形態では、第１リール４１１が回転体に相当し、第２リール４１４が情報手段に相当する。
【００７９】
図１３、図１５に示すように、第１リール４１１は、液晶表示装置４０１の液晶パネル４０２の後方に対応して配置されており、液晶パネル４０２を介してパチンコ機１０の前方から視認可能に構成されている。尚、図１３、図１５では、紙面下側がパチンコ機１０の前方となり、紙面上側がパチンコ機１０の後方となっている。第１リール４１１の外径（上下の幅）は、液晶パネル４０２の上下の幅よりも大きくなっている。さらに、第１リール４１１の左右の幅は、液晶パネル４０２の左右の幅とほぼ同じ、換言すれば、左右方向において三等分された液晶表示装置４０１の左・中・右図柄表示領域４０３、４０４、４０５の横幅を足した長さとほぼ同じ長さとなっている。
【００８０】
より具体的には、第１リール４１１についても、左右方向においてほぼ等間隔で３つの領域に区画されており、正面視で左側から外側左構成部４２１と、中構成部４２２と、外側右構成部４２３とを備えている。尚、詳しくは後述するが、中構成部４２２及び外側右構成部４２３の横幅は、中図柄表示領域４０４及び右図柄表示領域４０５の横幅とほぼ同じであり、外側左構成部４２１の横幅は左図柄表示領域４０３の横幅よりも若干（後述するガイド凸部４６９の横幅と同じ長さだけ）大きくなっている。
【００８１】
さらに、外側左構成部４２１及び外側右構成部４２３の外周面には、「１」〜「９」のいずれかの数字が付された複数種類の装飾図柄がプリントされた帯状の図柄シート４２５が第１リール４１１の周方向に沿って貼着されている。第１リール４１１に貼着される図柄シート４２５には、図１２（ａ）、（ｂ）に示すように、図柄シート４２５の長手方向を縦向きとして、上から下に向けて「９」〜「１」の降順で装飾図柄が等間隔に配列されている。そして、図柄シート４２５が、外側左構成部４２１及び外側右構成部４２３に対してそれぞれ巻かれるようにして貼着されると、「１」の装飾図柄と「９」の装飾図柄とが周方向において隣接するようになる。本実施形態では、装飾図柄表示装置４２の視認領域において（液晶パネル４０２を介して）、外側左構成部４２１及び外側右構成部４２３の装飾図柄をそれぞれ３つずつ同時に視認可能に構成されている。また、本実施形態では、各図柄シート４２５にプリントされている複数の装飾図柄による図柄列が識別情報列に相当する。
【００８２】
また、本実施形態では、外側左構成部４２１及び外側右構成部４２３に貼着される図柄シート４２５は、装飾図柄の配列、間隔、大きさ、及び形状が同一のものであり、かつ、第１リール４１１の周方向において両図柄シート４２５の貼り始めの端縁の位置が一致するように（左右方向において同一の装飾図柄が並ぶように）貼着されている。従って、第１リール４１１については、中構成部４２２を挟んで同じ数字の装飾図柄が左右に並んでいるように配置されている。尚、外側左構成部４２１が外側右構成部４２３よりも若干横幅が大きい分だけ、外側左構成部４２１に貼着される図柄シート４２５は、外側右構成部４２３に貼着される図柄シート４２５に比べ、装飾図柄の左側に形成される余白部分を余分にとるようにして幅広に形成されている。
【００８３】
一方、外側左構成部４２１と外側右構成部４２３とを連結する中構成部４２２は透明な樹脂材料で構成されている。さらに、中構成部４２２には、図柄シート４２５が貼着されていない。このため、中構成部４２２においては、第１リール４１１の内周側を透視することができる。本実施形態では、中構成部４２２が透過部に相当する。尚、図９では、中構成部４２２越しに視認される第１リール４１１内周側の構成等の図示を省略している。また、外側左構成部４２１及び外側右構成部４２３は、透明な樹脂材料及び不透明な樹脂材料のどちらで構成してもよいが、図柄シート４２５の外周縁に沿って図柄シート４２５の貼着面を確保しつつ、格子状に形成する等して軽量化を図ることが望ましい。
【００８４】
また、図７等に示すように、外側右構成部４２３の内周側には、樹脂製で車輪状をなす連結手段としての第１支持フレーム４３１が設けられている。図７、図１０に示すように、第１支持フレーム４３１は、円盤状のハブ４３２と、内周縁がハブ４３２の外周縁と同心円をなす円環状のリム４３３と、ハブ４３２の外周面からリム４３３の内周面にかけて放射状に延出するスポーク４３４とを備えている。ハブ４３２（第１支持フレーム４３１）の中心部には、断面略Ｄ字状の挿入穴を有するボス状の第１軸支部４３５が突設されている。そして、第１回転モータ４１２の駆動軸４１２ａの断面略Ｄ字状の先端部が第１軸支部４３５の挿入穴に挿入された状態で、ねじによって駆動軸４１２ａと第１軸支部４３５とが相対変位不可能に連結されている。
【００８５】
リム４３３（第１支持フレーム４３１）の外径は第１リール４１１（外側右構成部４２３）の内径とほぼ同じである。また、リム４３３の外周縁には、リム４３３の内周側に凹む係止凹部４３６が形成されている。さらに、リム４３３には、係止凹部４３６が形成されていない部位においてリム４３３の厚み方向に貫通するねじ孔４３７が形成されている。これに対し、第１リール４１１の外側右構成部４２３には、中構成部４２２との境界部の近傍部位から内周側に突出する当てリブ４２８（図７参照）が形成されている。また、図示は省略するが、当てリブ４２８には、リム４３３の係止凹部４３６の内側に挿入される係止凸部と、係止凸部が係止凹部４３６に挿入されることでリム４３３のねじ孔４３７と位置合わせされる取付孔とが形成されている。
【００８６】
そして、当てリブ４２８の係止凸部を第１支持フレーム４３１の係止凹部４３６の内側に挿入させるようにして、当てリブ４２８とリム４３３とを左右に面当接させ、リム４３３のねじ孔４３７と当てリブ４２８の取付孔とをねじ固定することで、第１支持フレーム４３１と第１リール４１１とが相対変位不可能に連結されている。これにより、第１回転モータ４１２が駆動すると、第１リール４１１が第１リール４１１の中心軸線を回転軸線として回転するようになり、第１リール４１１が回転すると、外側左構成部４２１及び外側右構成部４２３における装飾図柄が上下方向に変動するように視認される。尚、係止凸部及び係止凹部４３６の存在により、第１リール４１１と第１支持フレーム４３１との周方向における位置決めが行われ、組み付け作業性の向上、及び第１支持フレーム４３１と第１リール４１１とを固定するねじの負担軽減などを図ることができる。本実施形態では、第１回転モータ４１２及び第１支持フレーム４３１が回転駆動手段を構成する。
【００８７】
尚、第１回転モータ４１２は、略箱状をなす第１モータケース４４１に収容されて、極力がたつきが生じないように保持されている。また、第１回転モータ４１２と第１支持フレーム４３１とが連結され、第１支持フレーム４３１と第１リール４１１とが連結された状態では、第１回転モータ４１２及び第１モータケース４４１が、半分程度、第１リール４１１（外側右構成部４２３）の内側に収容された状態となっている。加えて、第１モータケース４４１には、第１回転モータ４１２の駆動軸４１２ａや配線を挿通させる開口部や放熱孔等が形成されている。
【００８８】
また、図７等に示すように、スライド機構４１３は、遊技盤３０の後面に固定された図示しない取付台の上面に固定されるガイド部４４２と、ガイド部４４２に対して左右方向にスライド可能に装着されるスライドベース４４３と、第１回転モータ４１２を収容する第１モータケース４４１とスライドベース４４３とを連結する支柱部４４４と、スライドベース４４３をスライドさせるスライドモータ４４５とを備えている。尚、ガイド部４４２及びスライドベース４４３は第１リール４１１の外周面よりも外周側（本実施形態では下方）に位置している。
【００８９】
図１１に示すように、スライドベース４４３の上面は、前縁部及び後縁部に沿って一段低くなっており、この前縁部及び後縁部がガイド部４４２によって上下に挟まれる（図９参照）とともに、かかる段部の側面がガイド部４４２に摺接することで、スライドベース４４３は、上下方向及び前後方向における変位が規制され、左右方向にのみスライド可能に構成されている。また、スライドベース４４３の下面には、左右方向に延在する鋸歯状のラック部４４６が設けられている。当該ラック部４４６は、ガイド部４４２に形成された開口部を介して下方に露出している。さらに、図７に示すように、スライドモータ４４５は、その駆動軸の先端に固定されたピニオン部材４４７の歯がラック部４４６の歯と噛み合うように設置されている。
【００９０】
また、支柱部４４４はスライドベース４４３の正面視右端部から一体的に上方に延出しており、上端が第１モータケース４４１の正面視右下部に固定されている。そして、スライドモータ４４５が駆動してピニオン部材４４７が回動することで、スライドベース４４３が左右にスライドすることとなる。また、当然、スライドベース４４３が左右にスライドすれば、第１モータケース４４１及び支柱部４４４を介してスライドベース４４３に支持されている第１回転モータ４１２と、第１回転モータ４１２に軸支されている第１リール４１１とについても左右にスライドすることとなる。
【００９１】
第２リール４１４は、液晶表示装置４０１の液晶パネル４０２の後方に対応して配置されており、液晶パネル４０２を介してパチンコ機１０の前方から視認可能に構成されている。また、第２リール４１４は樹脂製であり、その外径は、第１リール４１１の内径よりも若干小さく、かつ、液晶パネル４０２の上下の幅よりも若干大きくなっている。さらに、上記のように、第１リール４１１には、外側右構成部４２３の内周側において、第１リール４１１と第１回転モータ４１２とを連結するための第１支持フレーム４３１が設けられているが、外側左構成部４２１及び中構成部４２２の内周側には、第１リール４１１の内側空間を塞ぐような部材は設けられていない。このため、第２リール４１４を第１リール４１１の正面視左端側から第１リール４１１の内側に挿入させることができるようになっている。特に、本実施形態では、第２リール４１４全体を第１リール４１１の内側（外側左構成部４２１及び中構成部４２２の内周側）に挿入させることができるように構成されている。
【００９２】
また、第２リール４１４の左右の幅は、３つとも同じ横幅である各図柄表示領域４０３、４０４、４０５の１つ分の横幅の２倍の長さとほぼ同じ長さ（左図柄表示領域４０３の横幅と中図柄表示領域４０４の横幅とを足した長さ）となっている。さらに、第２リール４１４は、左右方向においてほぼ等間隔で２つの領域に区画されており、正面視で左側から内側左構成部４５１と、内側右構成部４５２とを備えている。本実施形態の第２リール４１４は、第１リール４１１のようにスライドするわけではなく、決まった位置で回転するのみであって、内側左構成部４５１が左図柄表示領域４０３の後方に位置し、内側右構成部４５２が中図柄表示領域４０４の後方に位置するように配置されている。さらに、内側左構成部４５１及び内側右構成部４５２の外周面には、「１」〜「９」の複数種類の装飾図柄が等間隔でプリントされた図柄シート４２５が第２リール４１４の周方向に沿って貼着されている。本実施形態では、内側左構成部４５１及び内側右構成部４５２のそれぞれの外周面に貼着された図柄シート４２５が情報部に相当する。
【００９３】
内側左構成部４５１に貼着される図柄シート４２５には、図１２（ｃ）に示すように、第１リール４１１に貼着される図柄シート４２５と同様に、図柄シート４２５の長手方向を縦向きとして上から下に装飾図柄が「９」〜「１」の降順で配列されている。また、内側右構成部４５２に貼着される図柄シート４２５には、図１２（ｄ）に示すように、図柄シート４２５の上から下に装飾図柄が「１」〜「９」の昇順で配列されている。本実施形態では、液晶パネル４０２を介して、内側左構成部４５１及び内側右構成部４５２の装飾図柄をそれぞれ３つ同時に視認可能となるように構成されている。
【００９４】
尚、第２リール４１４は、第１リール４１１よりも直径が小さく、周長が短いため、第２リール４１４に貼着される図柄シート４２５は、第１リール４１１に貼着される図柄シート４２５よりも長手方向の長さが短くなっている。また、第１リール４１１の図柄シート４２５に配列された装飾図柄（図１２（ａ）、（ｂ）参照）は、第２リール４１４の図柄シート４２５に配列された装飾図柄（図１２（ｃ）、（ｄ）参照）よりも上下の幅が大きくなっている。つまり、第１リール４１１と第２リール４１４とでは周長が異なるため、両リール４１１、４１４の外周にそれぞれ同じ大きさの装飾図柄を等間隔で配置した場合、液晶パネル４０２を介して上下に３つずつ視認可能とされる各リール４１１、４１４の装飾図柄のうち、上列及び下列に並ぶ装飾図柄の位置が上下にずれてしまうことが懸念される。そして、本実施形態では、左右に平行に延びる仮想の有効ライン上、或いは、斜めに真っ直ぐに延びる仮想の有効ライン上に同一の装飾図柄が３つ並ぶことで大当たり状態発生の教示が行われるため、各リール４１１、４１４の装飾図柄の上下位置が大きくずれてしまうと、有効ラインで装飾図柄が揃ったのか否かが分かり難くなってしまうのである。これに対し、本実施形態では、第１リール４１１の装飾図柄（図１２（ａ）、（ｂ）参照）の上下幅を比較的大きくすることによって、左右方向において両リール４１１、４１４の装飾図柄が極力重なり合うように構成し、上・中・下の三本の左右に真っ直ぐに延びる有効ライン上に両リール４１１、４１４の装飾図柄が並んで見えるようになっている。また、第１リール４１１の図柄シート４２５の装飾図柄は、第２リール４１４（内側左構成部４５１）の図柄シート４２５の装飾図柄を単に拡大したものではなく、第２リール４１４の装飾図柄の上端及び下端を上下に肉厚にすることで上下に伸長させるようにして描かれている。このため、第１リール４１１の装飾図柄は、その上端や下端が視認領域外にはみ出して視認できなくても、その装飾図柄の種類を確実に特定することができる。
【００９５】
尚、詳しくは後述するが、第２リール４１４の内側右構成部４５２は、図柄表示領域４０３、４０４、４０５のうち装飾図柄が最後に停止表示されることとなる中図柄表示領域４０４において視認可能とされる。このため、内側右構成部４５２の装飾図柄が左右の図柄表示領域４０３、４０５で停止表示される第１リール４１１の装飾図柄よりも小さいと、変動表示の後半のインパクトが欠けるおそれがあるため、内側右構成部４５２の図柄シート４２５の装飾図柄はその他の図柄シート４２５の図柄に比べ左右に大きく構成されている（図１２（ｄ）参照）。
【００９６】
また、図７等に示すように、第２リール４１４の内周側には、樹脂製で車輪状をなす第２支持フレーム４５３が設けられている。第２支持フレーム４５３は上記した第１支持フレーム４３１と同様の基本構成を備えており、第２支持フレーム４５３の中心部に形成された第２軸支部４５４が、第２回転モータ４１５の駆動軸４１５ａと相対変位不可能に連結されるとともに、第２支持フレーム４５３の外周側の部位が第２リール４１４の内周面と当接した状態で、第２リール４１４の内周面から突出する当てリブ４５５に対して相対変位不可能に連結されている。そして、第２回転モータ４１５が駆動すると、第２リール４１４の中心軸線を回転軸線として第２リール４１４が回転するようになっており、第２リール４１４が回転すると、内側左構成部４５１及び内側右構成部４５２における装飾図柄が上下方向に変動するように視認される。
【００９７】
加えて、第２回転モータ４１５を収容する第２モータケース４５７と、第２モータケース４５７を支持する支持部材４５８とが設けられており、支持部材４５８は遊技盤３０に固定された図示しない取付台に固定されている。さらに、第２回転モータ４１５と第２支持フレーム４５３とが連結され、第２支持フレーム４５３と第２リール４１４とが連結された状態では、第２回転モータ４１５及び第２モータケース４５７の大部分は第２リール４１４（内側左構成部４５１）の内側に収容された状態となっている。
【００９８】
尚、第１回転モータ４１２、第２回転モータ４１５、及びスライドモータ４４５はステッピングモータにより構成され、リール制御装置４０９と電気的に接続されている。また、図示は省略するが、第１リール４１１及び第２リール４１４に対応して、各リール４１１、４１４の回転位相を検出可能な位相検出手段が設けられており、リール制御装置４０９は、第１リール４１１及び第２リール４１４が１周するごとに各リール４１１、４１４の回転位置を確認し補正することができる。さらに、ステッピングモータは例えば５０４パルスの駆動信号を与えることにより１回転されるように設定されて、７パルスの駆動信号で左リール４２Ｌが５度変化するというように、駆動信号の数に応じた回転量で各リール４１１、４１４を回転させるように構成されている。また、リール制御装置４０９は、サブ制御装置２６２に電気的に接続されており、各リール４１１、４１４の回転開始又は停止のタイミングや、停止時の回転位相はサブ制御装置２６２からリール制御装置４０９に出力されるコマンド、ひいては主制御装置２６１からサブ制御装置２６２に出力されるコマンドに基づいて設定される。すなわち、リール表示装置４０８においては、第１及び第２特別表示装置４３Ｌ、４３Ｒにて表示される結果に対応させるように、主制御装置２６１からのコマンドに基づき、サブ制御装置２６２によって補助的な表示内容が決定され、当該決定に基づき、リール制御装置４０９によって駆動制御が行われる。
【００９９】
尚、本実施形態では、各図柄表示領域４０３、４０４、４０５において視認される装飾図柄が、液晶パネル４０２で表示された装飾図柄である場合と、第１及び第２リール４１１、４１４の外周に付された装飾図柄である場合とがあるが、表示される媒体がどちらであろうとも、同一の数字が付された装飾図柄が水平又は斜めに一直線に３つ並んで停止表示されることで大当たり状態が発生することとなる。
【０１００】
さて、上記のように、本実施形態では、第１リール４１１が左右方向、すなわち、第１リール４１１の軸線方向においてスライド可能に構成されている。一方、第２リール４１４に関しては、回転以外の動作が行われないように構成されている。そして、第１リール４１１が左右にスライドし、左右方向において第１リール４１１と第２リール４１４とが相対変位することで、第２リール４１４の全体が第１リール４１１の内側に収容される第１スライド状態（図７、図１３に示す状態）と、第２リール４１４のうち内側右構成部４５２のみが第１リール４１１の内側に収容される第２スライド状態（図８、図１５に示す状態）とに状態変化するように構成されている。
【０１０１】
特に、本実施形態の第２リール４１４は、内側左構成部４５１が液晶パネル４０２の左図柄表示領域４０３の後方に位置し、内側右構成部４５２が中図柄表示領域４０４の後方に位置するように配置されている。さらに、第１リール４１１の中構成部４２２は、第１リール４１１の内周側を透視できるように透明になっている。このため、液晶パネル４０２全面が透過状態であって、リール表示装置４０８が図１３に示すような第１スライド状態にある場合には、図１４に示すように、左右の図柄表示領域４０３、４０５において第１リール４１１の装飾図柄が視認されるとともに、中図柄表示領域４０４において、第１リール４１１の中構成部４２２を介して第２リール４１４の内側右構成部４５２の装飾図柄が視認されるようになっている。
【０１０２】
一方、液晶パネル４０２全面が透過状態であって、リール表示装置４０８が図１５に示すような第２スライド状態にある場合には、図１６に示すように、左図柄表示領域４０３において第１リール４１１の外側に位置した第２リール４１４の内側左構成部４５１の装飾図柄が視認され、中図柄表示領域４０４において第１リール４１１の外側左構成部４２１の装飾図柄が視認されるようになっている。
【０１０３】
尚、詳しくは後述するが、第１リール４１１の中構成部４２２の内周側には、第１リール４１１とともに左右にスライド変位する情報手段及び演出手段としてのフィギュア４６３が設けられている。そして、リール表示装置４０８が第１スライド状態にある場合には、かかるフィギュア４６３は第２リール４１４の内側に位置して視認不可能であるが、リール表示装置４０８が第２スライド状態になると、右図柄表示領域４０５において、第１リール４１１の透明な中構成部４２２を介してフィギュア４６３が視認可能とされる。
【０１０４】
さらに、本実施形態では、第１リール４１１及び第２リール４１４が互いに支え合うように構成されている。すなわち、図７、図８に示すように、第１支持フレーム４３１（ハブ４３２）の中央部には、第１回転モータ４１２（第１軸支部４３５）とは反対の面側において、金属製で左右に延びる円筒状の第１連結軸４６１が相対変位不可能に連結されている。また、第２支持フレーム４５３の中央部には、第２回転モータ４１５とは反対の面側において、金属製で左右に延びる円柱状の第２連結軸４６２が相対変位不可能に連結されている。さらに、本実施形態では、第１リール４１１の回転軸線と、第２リール４１４の回転軸線とが同一直線上に延在するように構成されている。また、第１連結軸４６１及び第２連結軸４６２はそれぞれ中構成部４２２の横幅よりも長く構成され、第１連結軸４６１の内径は第２連結軸４６２の外径よりも若干大きく構成されている。そして、第１連結軸４６１の内側に第２連結軸４６２が挿入状態とされ、第１リール４１１が左右にスライドした場合には、第２連結軸４６２の第１連結軸４６１への挿入長が長短するようになっている。
【０１０５】
さらに、本実施形態では、リール表示装置４０８が第１スライド状態及び第２スライド状態のどちらにあっても、第２連結軸４６２の少なくとも先端部は第１連結軸４６１の内側に挿入された状態となっている。これにより、第１連結軸４６１及び第２連結軸４６２を介して、第１リール４１１及び第２リール４１４が互いに支え合うように構成されている。尚、本実施形態では、第１リール４１１及び第２リール４１４と、第１支持フレーム４３１及び第２支持フレーム４５３とが別体として構成されていることによって、第１連結軸４６１及び第２連結軸４６２を第１支持フレーム４３１及び第２支持フレーム４５３に対して比較的容易に取付けることができる。加えて、第１連結軸４６１と第１支持フレーム４３１との連結部において、第１連結軸４６１に第２連結軸４６２が深く挿入される際のエア抜きのための開口部を形成することが望ましい。
【０１０６】
また、本実施形態では、第１連結軸４６１の外周において、フィギュア４６３が相対回転可能に装着されている。より具体的には、フィギュア４６３には左右に貫通し、第１連結軸４６１よりも径の大きな貫通孔４６４が形成されており、貫通孔４６４に第１連結軸４６１が挿通されている。また、フィギュア４６３の重心は偏心しており（内部の偏心した位置に錘が入っており）、フィギュア４６３が第１連結軸４６１に支持された状態では、第１リール４１１が回転していようともフィギュア４６３はほぼ同じ姿勢をとるようになっている。さらに、第１連結軸４６１には、外周面から外側に突出する規制凸部４６５が形成されるとともに、第１連結軸４６１の先端側の外周面において螺旋状にねじ山４６６が形成されている。そして、フィギュア４６３の貫通孔４６４に第１連結軸４６１を挿通してからねじ山４６６にナット４６７を固定する。これにより、フィギュア４６３が第１連結軸４６１に対して相対的に左右に変位しようとしても、貫通孔４６４の周縁部と、規制凸部４６５又はナット４６７とが当接することとなるため、フィギュア４６３と第１連結軸４６１との左右への相対変位が規制されることとなり、フィギュア４６３は第１リール４１１の変位に伴って左右に変位することとなる。従って、フィギュア４６３は常時中構成部４２２の内周側に位置することとなる。但し、規制凸部４６５とナット４６７とによってフィギュア４６３が挟持固定されないように、ひいては、第１連結軸４６１に対してフィギュア４６３が自由に回動可能なように、ナット４６７及び規制凸部４６５とフィギュア４６３との間に若干の隙間が形成されるようにしてナット４６７を第１連結軸４６１に固定する。尚、規制凸部４６５及びナット４６７が前方から見えないように、フィギュア４６３には貫通孔４６４の両端部に対応して規制凸部４６５及びナット４６７を収容可能な目隠し凹部４６８が形成されている。さらに、フィギュア４６３は第２リール４１４の内側に挿入可能な大きさとなっており、リール表示装置４０８が第１スライド状態となると、第１リール４１１の中構成部４２２とフィギュア４６３との間に第２リール４１４の内側右構成部４５２が進入する（第２リール４１４の内側にフィギュア４６３が収容される）ように構成されている。本実施形態では、規制凸部４６５、及びナット４６７によって変位規制手段が構成される。
【０１０７】
また、本実施形態では、第２リール４１４の内側左構成部４５１の内側右構成部４５２との境界部から第２リール４１４の外周側に突出するガイド凸部４６９が設けられている。図７に示すように、リール表示装置４０８が第１スライド状態にある場合、ガイド凸部４６９は、第１リール４１１の外側左構成部４２１の中構成部４２２との境界部近傍の内周面と対向配置されることとなる。一方、図８に示すように、リール表示装置４０８が第２スライド状態にある場合、中構成部４２２や外側右構成部４２３よりもガイド凸部４６９の幅分だけ横幅が長く構成された外側左構成部４２１の左端部の内周面と、ガイド凸部４６９とが対向配置されることとなる。本実施形態では、第１リール４１１及び第２リール４１４が正規の姿勢から傾いていなければ（第１リール４１１及び第２リール４１４の回転軸線がほぼ同一直線上に延びていれば）、ガイド凸部４６９と第１リール４１１とが離間し、互いに接触しないようになっている。これに対し、第１リール４１１及び第２リール４１４が相対的に傾く（例えば、第１リール４１１及び第２リール４１４の一方が或いは合計で０．５度〜３度程度傾く）と、ガイド凸部４６９において第１リール４１１と第２リール４１４とが接触するようになっている。
【０１０８】
このように、ガイド凸部４６９が構成されることにより、第１リール４１１や第２リール４１４が傾いてしまった場合の第１連結軸４６１及び第２連結軸４６２の負担が軽減される上、それ以上の傾動が防止される。さらに、第１リール４１１や第２リール４１４が傾くことに起因して、第２リール４１４の外周面の装飾図柄が第１リール４１１と擦れたり、第１リール４１１の中構成部４２２の内周面が第２リール４１４と擦れたりして損傷してしまうといった事態が抑制される。尚、ガイド凸部４６９が内側右構成部４５２の右端部にある場合、リール表示装置４０８が第１スライド状態と第２スライド状態とに状態変化する際に、内ガイド凸部４６９で中構成部４２２を引っ掻いてしまうおそれがあるため、ガイド凸部４６９は上記の位置に設けることが望ましい。加えて、内側左構成部４５１の横幅は、内側右構成部４５２の横幅と同じではあるものの、右端部においてガイド凸部４６９が形成されており、図柄シート４２５を貼着可能な幅が狭い。このため、内側左構成部４５１の図柄シート４２５（図１２（ｃ）参照）は、ガイド凸部４６９の幅分だけ、内側右構成部４５２に貼着される図柄シート４２５（図１２（ｄ）参照）に比べ、装飾図柄の右側の余白部分を短くするようにして幅狭に形成されている。
【０１０９】
尚、ガイド部４４２は、スライドベース４４３のスライド量を規定する左右一対のストッパー４４８を備えている。すなわち、リール表示装置４０８を第２スライド状態から第１スライド状態とする際に、第１リール４１１側の構成と第２リール４１４側の構成とが衝突する前に第１リール４１１のスライドを停止させたり、リール表示装置４０８を第１スライド状態から第２スライド状態とする際に、第２リール４１４が第１リール４１１から完全に抜け出す前に（第２連結軸４６２が第１連結軸４６１から完全に抜け出す前に）第１リール４１１のスライドを停止させたりすることができる。尚、基本的には、リール制御装置４０９は、第１リール４１１をスライドさせる場合、スライドベース４４３とストッパー４４８とが衝突しないようにスライドモータ４４５を駆動制御するように構成されている。
【０１１０】
次に、リール表示装置４０８の組み付け手順について説明する。先ず第１モータケース４４１に収容した第１回転モータ４１２の駆動軸４１２ａと第１支持フレーム４３１とを連結するとともに、第１支持フレーム４３１と第１連結軸４６１とを連結してから、第１支持フレーム４３１と第１リール４１１とを連結する。続いて、スライドモータ４４５の駆動によってスライドベース４４３が左右にスライド可能となるように、スライドモータ４４５及びガイド部４４２を取付台に取り付けるとともに、ガイド部４４２に対してスライドベース４４３を装着する。その後、スライドベース４４３から一体的に延出する支柱部４４４と第１モータケース４４１とを連結する。これにより、第１リール４１１が回転可能及び左右にスライド可能に支持されることとなる。
【０１１１】
続いて、第２モータケース４５７に収容した第２回転モータ４１５の駆動軸４１５ａと第２支持フレーム４５３とを連結するとともに、第２支持フレーム４５３と第２連結軸４６２とを連結してから、第２支持フレーム４５３と第２リール４１４とを連結する。その後、未だ取付台に固定されていない支持部材４５８と第２モータケース４５７とを連結するとともに、第２連結軸４６２を第１連結軸４６１の内側に挿入させるようにして、第２リール４１４を第１リール４１１の内側に挿入し、支持部材４５８と取付台との位置合わせをして支持部材４５８を固定する。以上のようにして、リール表示装置４０８が組み付けられることとなる。
【０１１２】
次に、装飾図柄表示装置４２にて行われる装飾図柄の変動表示の態様例について説明する。尚、変動表示が行われていない状態では、液晶パネル４０２の全面で待機中の演出表示（デモ画面表示）が行われる。
【０１１３】
通常、図１５に示すように、リール表示装置４０８は第２スライド状態とされている。変動表示が開始されると、所定時間後に液晶パネル４０２の左図柄表示領域４０３のみが透過状態とされ、液晶パネル４０２を介して第２リール４１４の内側左構成部４５１が視認される。このとき、第２リール４１４は、内側左構成部４５１の装飾図柄が上から下に流れるように回転しており、これによって、左図柄表示領域４０３における装飾図柄の変動表示が構成される。また、中及び右図柄表示領域４０４、４０５においては、液晶パネル４０２で装飾図柄が変動表示される。その後、リーチ状態が発生することなく外れる場合には、第２リール４１４が停止されることで左図柄表示領域４０３の装飾図柄が停止表示され、次に、液晶パネル４０２において右図柄表示領域４０５、中図柄表示領域４０４の順で、装飾図柄が停止表示される。尚、かかる流れの変動表示に際しては、第１リール４１１が視認される機会がないため、第１リール４１１は変動表示の最初から最後まで停止されたままの状態となっている。
【０１１４】
また、左右の図柄表示領域４０３、４０５で水平又は斜めの有効ライン上に同じ数字の装飾図柄が並んで停止するリーチ状態が発生した場合、液晶パネル４０２の中図柄表示領域４０４が透過状態とされ、リーチ状態が発生する直前に回転し始めた第１リール４１１の外側左構成部４２１の装飾図柄の変動表示が中図柄表示領域４０４において視認可能な状態とされる。以後、大当たりの場合には装飾図柄が３つ揃うように第１リール４１１を停止させ、外れの場合には装飾図柄が３つ揃わないように、第１リール４１１を停止させる。
【０１１５】
尚、全ての図柄表示領域４０３、４０４、４０５において装飾図柄が停止表示されてから所定時間が経過するまでは、全ての図柄表示領域４０３、４０４、４０５において装飾図柄が微妙に動いており、完全に装飾図柄が停止されるまでは、装飾図柄が停止されたかのように見えた図柄表示領域４０３、４０４、４０５において再び装飾図柄が変動することもある。例えば、上記のように、リール表示装置４０８が第２スライド状態にある場合に装飾図柄が外れの組合わせで停止されたかのような表示の直後に、液晶パネル４０２の右図柄表示領域４０５が透過状態とされ、図１６に示すようにフィギュア４６３が視認可能な状態となった後、再び各図柄表示領域４０３、４０４、４０５において装飾図柄が大きく変動表示する場合もある。このような演出が行われた場合の大当たり状態発生への期待度は比較的高くなっている（外れの場合には選択され難い演出となっている）。
【０１１６】
また、大当たり状態発生への期待度が高い（大当たりの場合に選択され易い）演出として、変動開始から左図柄表示領域４０３における停止表示までの間に（例えば、変動表示が開始されると同時に）、図１３に示すように、リール表示装置４０８が第１スライド状態とされるとともに、第１リール４１１が回転状態とされ、左図柄表示領域４０３が透過状態とされたときに、第１リール４１１の外側左構成部４２１の装飾図柄が視認されるといった演出パターンがある。つまり、第１リール４１１では、外側左構成部４２１及び外側右構成部４２３において装飾図柄が同じ配列で並んでいるため、左図柄表示領域４０３及び右図柄表示領域４０５が透過状態とされたならば、リーチ状態が発生することとなる。従って、遊技者は、左図柄表示領域４０３においていつもよりも大きい装飾図柄が表示されたことに違和感を覚えるだけでなく、左右の図柄表示領域４０３、４０５における装飾図柄の停止表示を待たずして、リーチ状態が発生し易いことを把握することができる。さらに、３種類の装飾図柄が一度にリーチの組合わせとなるため、見た目でも大当たり状態発生への期待感を高めることができる。その後、液晶パネル４０２の中図柄表示領域４０４を透過状態として第２リール４１４の内側右構成部４５２を視認可能な状態として、大当たりの場合には有効ライン上に同じ装飾図柄が３つ揃うように（図１４参照）、外れの場合には３つ揃わないように第２リール４１４を停止させる。
【０１１７】
次に、パチンコ機１０の電気的構成について説明する。図６は、本パチンコ機１０の電気的構成を示すブロック図である。主制御手段としての主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。但し、ＣＰＵ、ＲＯＭ及びＲＡＭが１チップ化されておらず、それぞれの機能毎にチップ化されている構成であってもよい。
【０１１８】
ＲＡＭ５０３は、ＣＰＵ５０１の内部レジスタの内容やＣＰＵ５０１により実行される制御プログラムの戻り先番地などが記憶されるスタックエリアと、各種フラグ及びカウンタ、Ｉ／Ｏ等の値が記憶される作業エリア（作業領域）と、バックアップエリア５０３ａとを備えている。
【０１１９】
また、ＲＡＭ５０３は、パチンコ機１０の電源のオフ後においても電源装置３１３からバックアップ電圧が供給されてデータを保持（バックアップ）できる構成となっており、スタックエリア、作業エリア及びバックアップエリア５０３ａに記憶されるすべてのデータがバックアップされるようになっている。
【０１２０】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、メイン処理によって電源切断時に実行され、逆にバックアップエリア５０３ａに書き込まれた各値の復帰は、電源入時（停電解消による電源入を含む。以下同様）のメイン処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【０１２１】
なお、少なくともスタックエリアとバックアップエリア５０３ａとに記憶されるデータをバックアップすれば、必ずしもすべてのエリアに記憶されるデータをバックアップする必要はない。例えば、スタックエリアとバックアップエリア５０３ａとに記憶されるデータをバックアップし、作業エリアに記憶されるデータをバックアップしない構成としてもよい。
【０１２２】
かかるＲＯＭ５０２及びＲＡＭ５０３を内蔵したＣＰＵ５０１には、アドレスバス及びデータバス等で構成されるバスライン５０４を介して入出力ポート５０５が接続されている。入出力ポート５０５には、後述するＲＡＭ消去スイッチ回路５４３、払出制御装置３１１、サブ制御装置２６２、第１及び第２特別表示装置４３Ｌ、４３Ｒ、普通図柄表示装置４１等が接続されている。この構成により、上述した特別表示装置４３Ｌ、４３Ｒ、及び普通図柄表示装置４１は、主制御装置２６１により直接的に制御される。一方、装飾図柄表示装置４２を構成する液晶表示装置４０１及びリール表示装置４０８は、サブ制御装置２６２を介して制御される。
【０１２３】
その他、便宜上、各種中継基板等の図示は省略するが、入出力ポート５０５には、入賞口スイッチ２２１、カウントスイッチ２２３、始動入賞ユニットスイッチ２２４ａ，２２４ｂ、スルーゲートスイッチ２２５、ハンドル１８の各種スイッチなどの各種検出スイッチや、各種基板、可変入賞装置３２の大入賞口を開閉するシャッタを動作させるための大入賞口ソレノイドなどの各種電気部品が接続されている。つまり、主制御装置２６１には、各種ケーブルコネクタのコネクタを接続するための複数の端子部（基板側コネクタ）が設けられているが、これら端子部等により、入出力ポート５０５が構成される。
【０１２４】
サブ制御手段としてのサブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【０１２５】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、リール制御装置４０９、スピーカＳＰ、演出ボタン１２５、各種電飾部及びランプ等が接続されている。
【０１２６】
サブ制御装置２６２のＣＰＵ５５１は、例えば主制御装置２６１から送信される指令信号（例えば変動パターンコマンド）に基づいて、表示制御装置４５に表示制御を実行させたり、リール制御装置４０９に駆動制御を実行させたりして、装飾図柄表示装置４２の視認態様を変化させる。尚、上記のように、本実施形態では、主制御装置２６１が制御する第１及び第２特別表示装置４３Ｌ、４３Ｒにて大当たりに当選したことを表示するようになっており、サブ制御装置２６２が制御する装飾図柄表示装置４２では、前記特別表示装置４３Ｌ、４３Ｒの表示に合わせた表示（付随的な演出表示）が行われる。
【０１２７】
また、払出制御装置３１１は、払出装置３５８により賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１２８】
払出制御装置３１１のＲＡＭ５１３は、主制御装置２６１のＲＡＭ５０３と同様に、ＣＰＵ５１１の内部レジスタの内容やＣＰＵ５１１により実行される制御プログラムの戻り先番地などが記憶されるスタックエリアと、各種フラグ及びカウンタ、Ｉ／Ｏ等の値が記憶される作業エリア（作業領域）と、バックアップエリア５１３ａとを備えている。
【０１２９】
ＲＡＭ５１３は、パチンコ機１０の電源のオフ後においても電源装置３１３からバックアップ電圧が供給されてデータを保持（バックアップ）できる構成となっており、スタックエリア、作業エリア及びバックアップエリア５１３ａに記憶されるすべてのデータがバックアップされるようになっている。なお、少なくともスタックエリアとバックアップエリア５１３ａとに記憶されるデータをバックアップすれば、必ずしもすべてのエリアに記憶されるデータをバックアップする必要はない。例えば、スタックエリアとバックアップエリア５１３ａとに記憶されるデータをバックアップし、作業エリアに記憶されるデータをバックアップしない構成としてもよい。
【０１３０】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、メイン処理によって電源切断時に実行され、バックアップエリア５１３ａに書き込まれた各値の復帰は電源入時のメイン処理において実行される。なお、主制御装置２６１のＣＰＵ５０１と同様、ＣＰＵ５１１のＮＭＩ端子にも、停電等の発生による電源遮断時に停電監視回路５４２から停電信号ＳＫ１が入力されるように構成されており、その停電信号ＳＫ１がＣＰＵ５１１へ入力されると、停電時処理としてのＮＭＩ割込み処理が即座に実行される。
【０１３１】
作業エリアには、払出制御装置３１１による賞球の払出許可が設定される払出許可フラグと、主制御装置２６１から送信されたコマンドを受信した場合に設定されるコマンド受信フラグと、主制御装置２６１から送信されたコマンドが記憶されるコマンドバッファとが設けられている。
【０１３２】
払出許可フラグは、賞球の払出許可を設定するフラグであり、主制御装置２６１から賞球の払出を許可する特定のコマンドが送信され、その特定のコマンドを受信した場合にオンされ、初期設定の処理又は電源遮断前へ復帰された場合にオフされる。本実施形態では、特定のコマンドは、払出制御装置３１１のＲＡＭ５１３の初期処理の指示をする払出初期化コマンドと、賞球の払出を指示する賞球コマンドと、主制御装置２６１が復電された場合に送信される払出復帰コマンドの３つである。
【０１３３】
コマンド受信フラグは、払出制御装置３１１がコマンドを受信したか否かを確認するフラグであり、いずれかのコマンドを受信した場合にオンされ、払出許可フラグと同様に、初期設定の処理又は電源遮断前へ復帰された場合にオフされるとともに、コマンド判定処理により受信されたコマンドの判定が行われた場合にオフされる。
【０１３４】
コマンドバッファは、主制御装置２６１から送信されるコマンドを一時的に記憶するリングバッファで構成されている。リングバッファは所定の記憶領域を有しており、その記憶領域の始端から終端に至るまで規則性をもってコマンドが記憶され、全ての記憶領域にコマンドが記憶された場合には、記憶領域の始端に戻りコマンドが更新されるよう構成されている。よって、コマンドが記憶された場合及びコマンドが読み出された場合に、コマンドバッファにおける記憶ポインタ及び読出ポインタが更新され、その各ポインタに基づきコマンドの記憶と読み出しとが行われる。
【０１３５】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出装置３５８等がそれぞれ接続されている。
【０１３６】
カードユニット接続基板３１４は、パチンコ機１０前面の貸球操作部（球貸しボタン１２１及び返却ボタン１２２）と、遊技ホール等にてパチンコ機１０の側方に配置されるカードユニット（球貸しユニット）とにそれぞれ電気的に接続され、遊技者による球貸し操作の指令を取り込んでそれをカードユニットに出力するものである。なお、カードユニットを介さずに球貸し装置等から上皿１９に遊技球が直接貸し出される現金機では、カードユニット接続基板３１４を省略することも可能である。
【０１３７】
発射制御装置３１２は、発射装置６０による遊技球の発射を許可又は禁止するものであり、発射装置６０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射禁止ボタン１８ａ（図１参照）が操作されていないことを条件に、発射装置６０が駆動され、ハンドル１８の操作量に応じた強度で遊技球が発射される。
【０１３８】
表示制御装置４５は、サブ制御装置２６２からの指示に従い、液晶表示装置４０１における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、バスライン５３０を介して、ＣＰＵ５２１、プログラムＲＯＭ５２２、ワークＲＡＭ５２３、ＶＤＰ５２６が接続されている。また、ＶＤＰ５２６にはバスライン５３１を介して出力ポート５２９が接続されており、その出力ポート５２９には装飾図柄表示装置を構成する液晶表示装置４０１が接続されている。
【０１３９】
表示制御装置４５のＣＰＵ５２１は、サブ制御装置２６２から送信される表示コマンドを、入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、液晶表示装置４０１における表示制御を行う。
【０１４０】
プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１４１】
ビデオＲＡＭ５２４は、液晶表示装置４０１に表示される表示データを記憶するメモリであり、このビデオＲＡＭ５２４の内容を書き替えることにより、液晶表示装置４０１の表示内容が変更される。キャラクタＲＯＭ５２５は、液晶表示装置４０１に表示される図柄などのキャラクタデータを記憶するメモリである。
【０１４２】
ＶＤＰ５２６は、液晶表示装置４０１に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して液晶表示装置４０１に表示させる。
【０１４３】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。
【０１４４】
電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。同様に、各種スイッチやモータ等には、これらが接続される制御装置を介して動作電源が供給されることとなる。
【０１４５】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１４６】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１４７】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１４８】
以上詳述したように、本実施形態では、装飾図柄を変動表示する装飾図柄表示装置４２は、複数種類の装飾図柄を配列した図柄シート４２５が外周面に沿って貼着された第１リール４１１及び第２リール４１４を具備するリール表示装置４０８を備えており、当該リール４１１、４１４の装飾図柄の組合わせによって、大当たり状態が発生するか否かを教示可能に構成されている。また、第１リール４１１が左右にスライド可能に構成されており、リール表示装置４０８は、第２リール４１４の全体が第１リール４１１の内側に収容される第１スライド状態と、第２リール４１４のうち内側右構成部４５２が第１リール４１１の内側に位置し、内側左構成部４５１が第１リール４１１の外側に位置する第２スライド状態とに状態変化可能に構成されている。このように、第１リール４１１がスライド変位することで、装飾図柄表示装置４２の視認領域において視認されるリール表示装置４０８の態様を変化させたり、視認態様の変化に対応付けして、所定の情報を遊技者に教示又は示唆したりすることができる。従って、装飾図柄表示装置４２における視認態様にリール４１１、４１４の回転動作以外の変化をつけることができ、演出性の向上等を図ることができる。
【０１４９】
特に、第１リール４１１及び第２リール４１４のうち外周側に位置する方である第１リール４１１がスライド可能に構成されているため、左図柄表示領域４０３において第１リール４１１を視認させたり、第２リール４１４を視認させたりして、視認可能な対象を切替えることができる。従って、装飾図柄表示装置４２における視認態様を劇的に変化させることができ、演出性の向上をより一層図ることができる。
【０１５０】
さらに、第１リール４１１がスライドすることによって第２リール４１４を見せたり隠したりすることができるため、第２リール４１４がスライド不可能であっても、第１リール４１１及び第２リール４１４の両方の視認態様に変化を与えることができる。従って、少ない動きで第１リール４１１及び第２リール４１４による視認態様をよりダイナミックに変化させることができる。
【０１５１】
さらに、第１リール４１１がスライドすることによって第２リール４１４を見せたり隠したりすることができるため、第２リール４１４がスライド不可能であっても、第１リール４１１及び第２リール４１４の両方の視認態様に変化を与えることができる。つまり、第２リール４１４の各図柄列が見えたり隠れたりするというだけではなく、第１リール４１１の図柄列が動く（表示位置がずれる、或いは、視認可能な状態と不可能な状態に切替わる）こととなる。従って、少ない動きで第１リール４１１及び第２リール４１４による視認態様をよりダイナミックに変化させることができ、演出性の向上等を図ることができる。さらに、第１リール４１１は、図柄表示領域１つ分の距離をスライドする構成であり、１つの図柄表示領域内に図柄列が２列存在（異なる図柄シート４２５の装飾図柄が存在）したり、１つの図柄表示領域内に図柄列とフィギュア４６３とが混在したりした状態の視認態様とならないように構成されている。このため、装飾図柄表示装置４２の視認態様をより大きく変化させるとともに、各図柄列及びフィギュア４６３のそれぞれをより明確に認識させることができる。従って、演出性の向上、遊技性の向上等を図ることができる。
【０１５２】
また、第１リール４１１の内側空間を第２リール４１４の収納スペースとして有効利用することができ、可変表示手段リール表示装置４０８の大型化を抑制しつつ、演出の多様化等を図ることができる。
【０１５３】
また、装飾図柄表示装置４２は、リール表示装置４０８の前方において透過型の液晶表示装置４０１を備えており、液晶パネル４０２越しに、第１リール４１１及び第２リール４１４を視認可能となっている。このため、液晶パネル４０２の各図柄表示領域４０３、４０４、４０５を透過状態と非透過状態とに切り替えたり、液晶パネル４０２において第１リール４１１や第２リール４１４の動作に連動するオブジェクト画像を表示したりする等して、第１リール４１１、第２リール４１４、及び液晶パネル４０２の視認態様が混然一体となった演出を行うことができ、演出性の向上を図ることができる。また、液晶表示装置４０１によって、リール表示装置４０８の好ましくない動作や部位を一時的に隠したり、各種遊技状況における遊技方法等のナビゲートをしたりすることができる。
【０１５４】
さらに、第１リール４１１の中構成部４２２は第１リール４１１の周方向全域にわたって透明な樹脂材料で構成されている。このため、例えば、リール表示装置４０８が第１スライド状態となり、中構成部４２２の内周側に第２リール４１４の内側右構成部４５２が位置する場合、第１リール４１１がどの回転位相にあっても、内側右構成部４５２の装飾図柄をパチンコ機１０前方の遊技者から視認可能とすることができる。従って、第１リール４１１が回転していても、或いは、第１リール４１１がどの回転位相で停止されていても中構成部４２２の内周側に位置しているものを比較的はっきりと視認させることができる。これにより、第１リール４１１及び第２リール４１４による演出バリエーションを増やすことができる。
【０１５５】
また、第２リール４１４のうち外周に図柄シート４２５が貼着された部位を第１リール４１１の外側に出さなくても中構成部４２２を介して第２リール４１４の装飾図柄を視認可能にすることができる。さらに、第１リール４１１の回転軸線方向において、第１リール４１１の外周面における装飾図柄によって挟まれる位置、すなわち、外側左構成部４２１の装飾図柄と外側右構成部４２３の装飾図柄との間に第２リール４１４の装飾図柄を視認させることができる。従って、視認態様のバリエーションを増やすことができ、演出性の向上を図ることができる。
【０１５６】
また、本実施形態では、中心軸線が第１リール４１１の回転軸線と一致するようにして第１リール４１１に対して相対変位不可能に設けられる略円筒状の第１連結軸４６１と、第２リール４１４に対して相対変位不可能に設けられ、第１連結軸４６１に対して回転自在に連結される略円柱状の第２連結軸４６２とが設けられ、リール表示装置４０８が第２スライド状態にあっても（第１リール４１１と第２リール４１４とがどのような相対位置関係にあっても）、第２連結軸４６２が第１連結軸４６１の内側に挿入状態とされている。つまり、第１連結軸４６１及び第２連結軸４６２を介して、第１リール４１１と第２リール４１４とが回転自在に連結されている。これにより、第１連結軸４６１及び第２連結軸４６２を介して、第１リール４１１と第２リール４１４とが互いに支え合うように構成することができ、第１リール４１１及び第２リール４１４を比較的安定して回転させることができる。特に、本実施形態のように、リール４１１、４１４が複数の図柄列（図柄シート４２５）を有して幅が比較的大きかったり、第１リール４１１のように中構成部４２２がその内周側を透視可能に構成され、中構成部４２２の内周側に第１リール４１１を支持する部材（リブ等）を設けることができなかったりする場合には、かかる作用効果が一層確実に奏される。
【０１５７】
さらに、第２リール４１４には、内側左構成部４５１のうち内側右構成部４５２との境界部近傍の外周面から外周側に突出するガイド凸部４６９が設けられている。このため、第１リール４１１や第２リール４１４が基準の姿勢から若干傾いた場合に、ガイド凸部４６９が第１リール４１１の内周面に接触するようになっている。これにより、第１リール４１１及び第２リール４１４のそれ以上の傾倒を抑止することができ、第１リール４１１及び第２リール４１４や、これらを支持する構成の損傷を抑制することができる。また、第１リール４１１や第２リール４１４が傾いたとしても、第１リール４１１が第２リール４１４の外周面に貼着された図柄シート４２５に接触する前にガイド凸部４６９で第１リール４１１を受けて、第１リール４１１が第２リール４１４の図柄シート４２５に接触しないように構成することができる。従って、第２リール４１４の図柄シート４２５の損傷を防止することができる。
【０１５８】
加えて、ガイド凸部４６９は、内側左構成部４５１のうち内側右構成部４５２との境界部近傍に設けられていることから、第１リール４１１及び第２リール４１４が左右に相対変位してもガイド凸部４６９が中構成部４２２に接触する（中構成部４２２を横切る）といった可能性はない。従って、ガイド凸部４６９によって透明な中構成部４２２が傷つけられてしまうといった事態を回避することができ、中構成部４２２を介しての第１リール４１１内周側の視認性が低下してしまうといった事態を防止することができる。さらには、リール表示装置４０８が第２スライド状態にあってもガイド凸部４６９は第１リール４１１の内周側に位置している。従って、リール表示装置４０８が第２スライド状態にあっても、ガイド凸部４６９を設けることによる上記作用効果が奏される。
【０１５９】
また、本実施形態では、第１リール４１１及び第２リール４１４と、第１回転モータ４１２及び第２回転モータ４１５とを連結する第１支持フレーム４３１及び第２支持フレーム４５３が第１リール４１１及び第２リール４１４とは別体として構成されている。このため、第１支持フレーム４３１及び第２支持フレーム４５３と第１リール４１１及び第２リール４１４とが一体形成されている場合に比べ、第１回転モータ４１２及び第２回転モータ４１５を第１リール４１１及び第２リール４１４に連結する作業を比較的容易なものとすることができる。特に、リール表示装置４０８の大型化を抑制するべく、本実施形態のように、第１回転モータ４１２及び第２回転モータ４１５の少なくとも一部（駆動軸）を第１リール４１１及び第２リール４１４の内側に位置させたり、第１支持フレーム４３１及び第２支持フレーム４５３に対して第１連結軸４６１及び第２連結軸４６２も連結したりするような場合においては、かかる作用効果が一層顕著なものとなる。
【０１６０】
さらに、本実施形態では、第１連結軸４６１の外周側にフィギュア４６３が設けられている。また、第１連結軸４６１には、フィギュア４６３の貫通孔４６４の左右の開口周縁部にそれぞれ接触可能な規制凸部４６５及びナット４６７が設けられており、これによって、第１連結軸４６１とフィギュア４６３との左右への相対移動が規制され、フィギュア４６３が常に中構成部４２２の内周側に位置するようになっている。加えて、第２リール４１４はフィギュア４６３を内側に収容可能に構成されており、リール表示装置４０８が第１スライド状態となることで、フィギュア４６３は第２リール４１４の内側に位置して視認不可能となり、リール表示装置４０８が第２スライド状態となることで、フィギュア４６３は第２リール４１４の外側に位置し、第１リール４１１の中構成部４２２を介して視認可能となる。従って、中構成部４２２を介して視認される態様を第２リール４１４の内側右構成部４５２の装飾図柄列と、フィギュア４６３とに変化させることができ、演出性の向上等を図ることができる。
【０１６１】
また、第１リール４１１の外側右構成部４２３及び外側左構成部４２１には複数種類の装飾図柄が同じ配列でプリントされた図柄シート４２５が貼着されており、中構成部４２２を挟んで同じ数字の付された装飾図柄が左右に並ぶようになっている。このため、第１リール４１１の態様だけでリーチ状態の発生を教示することができるため、リーチ状態になることを前提とした演出表示を行う際の制御の簡素化を図ることができる。さらに、第１リール４１１の外側右構成部４２３及び外側左構成部４２１の装飾図柄でリーチの組合わせを導出し、リーチ状態発生後の変動表示は装飾図柄表示装置４２の中心部である中図柄表示領域４０４を中心に展開されることから、変動表示の行方を注視し易くなる。
【０１６２】
尚、第１リール４１１は変動表示に際して必ずしも回転しないようになっている。その一方で、第１リール４１１よりも小さく軽く、また、スライドもしない第２リール４１４については、ほぼ変動表示毎に回転するようになっている。つまり、第１リール４１１の使用頻度を抑制する一方で、故障する可能性が比較的低い第２リール４１４の駆動機会を相対的に増やすことで、リール表示装置４０８の劣化を抑制しつつ、リール表示装置４０８と液晶表示装置４０１とが一体となった演出を頻繁に行うことができる。また、リール表示装置４０８の前方に液晶パネル４０２が存在することで、第１リール４１１を液晶パネル４０２の表示でもって視認不可能に隠しておけば、第１リール４１１を回転させなくても違和感を生じさせないようにすることができる。
【０１６３】
なお、上述した実施形態の記載内容に限定されず、例えば次のように実施してもよい。
【０１６４】
（ａ）上記実施形態では、第１リール４１１が左右方向、すなわち、第１リール４１１の回転軸線方向においてスライド可能に構成され、第２リール４１４がスライド不可能に構成されているが、第１リール４１１及び第２リール４１４のうち少なくとも一方が第１リール４１１（第２リール４１４）の回転軸線方向においてスライド可能に構成されていればよい。例えば、第１リール４１１及び第２リール４１４の両方をスライド可能に構成してもよいし、第２リール４１４のみをスライド可能に構成してもよい。
【０１６５】
（ｂ）上記実施形態では、第１リール４１１及び第２リール４１４が左右方向を回転軸線方向としているが、特にこのような構成に限定されるものではなく、リール表示装置４０８を具備する装飾図柄表示装置４２と遊技者との間を仕切るガラスユニット１３７のガラス面の垂線方向に対して交差する方向に軸線方向が延在するように第１リール４１１及び第２リール４１４を配置すればよい。例えば、第１リール４１１及び第２リール４１４の回転軸線が上下に延在するとともに、第２リール４１４が第１リール４１１の回転軸線方向にスライド可能に構成されている場合、第１リール４１１及び第２リール４１４の外周面にて表示される装飾図柄は左右方向に変動表示するとともに、第２リール４１４が上下にスライドすることとなる。また、リール４１１、４１４外周面の装飾図柄等の視認性の向上、リール４１１、４１４の内側空間がリール４１１、４１４の側方の開口から視認されてしまうといった事態の抑止、リール表示装置４０８の大型化の抑制等の観点からすると、リール４１１、４１４の回転軸線は、遊技盤３０前面やガラスユニット１３７のガラス面と平行に延在することがより望ましい。
【０１６６】
（ｃ）上記実施形態では、情報手段として第２リール４１４、及びフィギュア４６３が採用されているが、特にこれに限定されるものではなく、少なくとも一部が第１リール４１１の内側に収容可能に構成されるとともに、第１リール４１１の回転軸線方向において第１リール４１１と相対的に変位することで、遊技者から視認される態様が変化する構成となっていればよい。例えば、識別情報としての装飾図柄を有しないものやそれ自体は動作することのないものを情報手段として採用し、これらが見えたり見えなかったりすることで所定の情報（大当たり状態発生の期待度が比較的高い等）を遊技者に提供するように構成してもよい。
【０１６７】
但し、リール表示装置４０８において、第１リール４１１の他に、装飾図柄を変動表示させることのできるものを設けることによって、リール表示装置４０８において停止のタイミングが異なる装飾図柄の配列（図柄列）を複数備えることができる上、第１リール４１１がスライド変位することで、リール表示装置４０８の図柄列の組合わせや所定の図柄表示領域４０３、４０４、４０５における図柄列の配列を切り替えたりすることができる。従って、リール表示装置４０８の視認態様、ひいては、装飾図柄の変動表示の多様化を図ることができる。
【０１６８】
尚、第１リール４１１の中構成部４２２においても外周面に図柄シート４２５を貼着してもよいし、第１リール４１１の内側に設けられ、第１リール４１１とともに左右にスライドするフィギュア４６３を省略してもよい。また、第１リール４１１や第２リール４１４の左右の幅（回転軸線方向における長さ）を変更（例えば、第１リール４１１の左右幅を各図柄表示領域４０３、４０４、４０５の１又は２つ分や４つ分以上の横幅とほぼ同じに）してもよい。尚、第１リール４１１及び第２リール４１４を液晶パネル４０２の横幅と同じにする場合など、第１リール４１１の内側に第１回転モータ４１２を収容することが困難となる場合であっても、リール表示装置４０８の大型化を抑制するべく、少なくとも第２回転モータ４１５の一部は第２リール４１４の内側に収容されていることが望ましい。また、上記実施形態では、リール４１１、４１４の外周面に図柄シート４２５が貼着されているが、リール４１１、４１４の外周面に装飾図柄を直接プリントする、或いは、外周面に図柄が印刷された無端帯状のベルトを緊張状態で第１リール４１１に掛装する等、別の方法でリールの外周に装飾図柄を配置してもよい。
【０１６９】
（ｄ）上記実施形態では、第１連結軸４６１及び第２連結軸４６２によって第１リール４１１及び第２リール４１４が互いに支え合うように構成されているが、第１連結軸４６１及び第２連結軸４６２を省略してもよい。また、上記実施形態では、ガイド凸部４６９が設けられ、第１リール４１１や第２リール４１４の回転軸線が正規の位置から若干傾いた場合に、ガイド凸部４６９が、これに対向する第１リール４１１の内周面と接触するように構成されているが、リール４１１、４１４が正規の位置から傾いていなくても接触するように構成したり、ガイド凸部４６９を省略したりしてもよい。尚、リール４１１、４１４同士がリール４１１、４１４の外周方向において接触することで、リール４１１、４１４が大きく傾くことを防止することができ、リール４１１、４１４やリール４１１、４１４を支持する構成や連結軸４６１、４６２の損傷を抑制することができる。また、リール４１１、４１４が傾いていない状態ではリール４１１、４１４同士が非接触とされることで、両者が互いに擦れることでの摩耗や異音の発生、回転モータ４１２、４１５の負担の増加等の不具合を抑制することができる。
【０１７０】
（ｅ）上記実施形態では、装飾図柄表示装置４２が遮蔽手段及び透過型表示手段としての液晶表示装置４０１を備えているが、液晶表示装置４０１を省略してもよい。また、液晶表示装置４０１に代えて又は加えて、ＥＬ表示装置等の別の表示手段やリール４１１、４１４の一部又は全部を視認可能な状態と視認不可能な状態とに切り替え可能なシャッタ（例えば、各図柄表示領域４０３、４０４、４０５を個別に開閉可能な３枚の可動パネルを有するシャッタ装置）等を設けることとしてもよい。勿論、装飾図柄表示装置４２とは別に表示装置を設けることも可能である。また、液晶表示装置４０１ではなく、透過状態と非透過状態とに状態変化可能な表示パネルを有する別の表示手段をリール表示装置４０８の前方に設けることとしてもよい。加えて、液晶表示装置４０１は、液晶パネル４０２の画像オブジェクトが視認されてその後方の第１又は第２リール４１１、４１４が視認不可能となる非透過状態と、液晶パネル４０２が透明になってその後方の第１又は第２リール４１１、４１４が視認可能となる透過状態とに状態変化するだけでなく、画像オブジェクトを半透明にして、液晶パネル４０２における画像オブジェクトが認識でき、かつ、当該画像オブジェクト越しに第１又は第２リール４１１、４１４が認識できるような半透過状態にも状態変化可能としてもよい。また、上記実施形態では第１リール４１１が第１回転モータ４１２の駆動軸４１２ａに直接連結されて軸支されているが、第１リール４１１と第１回転モータ４１２の駆動軸との間にリンク機構を介在させることとしてもよい。もちろん、この場合は、リンク機構についても回転駆動手段に含まれる。
【０１７１】
さらに、上記実施形態では、変動表示に際して第１及び第２リール４１１、４１４の少なくとも一方が必ず回転動作するように構成されているが、特にこのような構成に限定されるものではなく、例えば、変動開始から停止表示まで液晶表示装置４０１を一度も透過させない変動表示が行われ得るように構成してもよい。この場合、第１及び第２リール４１１、４１４の動作回数を低減させることができ、故障のおそれを低減させることができるとともに、演出のステップアップの段階を増やすことができる。尚、上記実施形態では、第１及び第２リール４１１、４１４のうち、比較的小さく、左右方向にスライドしない第２リール４１４の使用（動作）頻度を比較的高くすることで、比較的大きくかつ左右方向にもスライド変位する第１リール４１１の故障リスクを低減させることができる。さらに、液晶表示装置４０１の液晶パネル４０２が透過状態とされたときに、第１及び第２リール４１１、４１４のうちどちらが視認されるのか（どちらを駆動させるのか）ということと、大当たり状態発生の期待度とを対応させ、使用頻度の差を演出にも利用するとともに、大当たり状態発生への期待度が高い演出が行われる場合に比較的大きな第１リール４１１を視認させ、より大きなインパクトを与えられるように構成されている。尚、大当たり状態発生への期待度が高い演出とは、大当たり状態が発生する場合（始動入賞ユニット３３への入球に基づいて行われる当否抽選にて当選した場合）に比較的選択され易く、外れの場合に比較的選択され難い演出である。
【０１７２】
さらに、本実施形態では、それぞれ図柄列（図柄シート４２５）を有する第１リール４１１及び第２リール４１４を備えるとともに、３つの図柄表示領域４０３、４０４、４０５に対応して、第１及び第２リール４１１、４１４の左右の幅が合計で図柄表示領域４つ分の横幅以上（図柄列に換算すると合計して４つ以上）となるように構成されている。これによって、リール表示装置４０８によって各図柄表示領域４０３、４０４、４０５の視認態様を少なくとも２パターンに切り替えることができる。ちなみに、上記実施形態では、左図柄表示領域４０３において、外側左構成部４２１及び内側左構成部４５１（及び非透過の液晶パネル４０２）のいずれかが視認され、中図柄表示領域４０４において、内側右構成部４５２及び外側左構成部４２１（及び非透過の液晶パネル４０２）のいずれかが視認され、右図柄表示領域４０５において、外側右構成部４２３及びフィギュア４６３（及び非透過の液晶パネル４０２）のいずれかが視認されるように、各図柄表示領域４０３、４０４、４０５の視認態様を切り替えられるようになっている。尚、例えば、図柄表示領域が３つあり、第１リール４１１及び第２リール４１４の左右幅が図柄表示領域の２つ分の幅しかない（３つ分はない）とすると、両方のリール４１１、４１４を左右にスライド可能に構成しないと、リール表示装置４０８によって各図柄表示領域の視認態様を少なくとも２パターンに切り替えることができないが、一方が図柄表示領域３つ分の幅を有する場合には、当該３つ分の幅を有するリールをスライド可能にするだけで、各図柄表示領域の視認態様を少なくとも２パターンに切り替えることができる。態様例としては、図柄表示領域３つ分の幅を有するとともに３つの図柄列を有し、左右にスライドする第１リール４１１が設けられ、図柄表示領域１つ分の幅を有するとともに１つの図柄列を有し、左右にスライドせず、さらに、第１リール４１１の内側に収容可能な第２リール４１４が左図柄表示領域４０３に対応して設けられ、第１リール４１１の３つの図柄列が視認される場合には、第１リール４１１によって第２リール４１４が隠され、その状態から第１リール４１１が図柄領域１つ分スライドすることで、第１リール４１１の２つの図柄列が視認されるとともに、第２リール４１４の図柄列が視認されるように構成されるといったものが挙げられる。尚、第２リール４１４は左右にスライドしないように構成されることで、故障のリスクを低減させることができる。
【０１７３】
（ｆ）上記実施形態とは異なるタイプのパチンコ機として実施してもよい。例えば、遊技領域を移動する遊技球が入球可能な特定領域と、特定領域への入球を許容する開状態と、特定領域への入球を禁止する閉状態とに変化可能な可動手段（羽部材）とを具備する可変入球手段と、特定領域に入球した遊技球が入球可能な特定入球手段及び非特定入球手段と、特定入球手段に入球した遊技球を検知する特定入球検知手段（条件成立検出手段）と、特定領域の外部に設けられ、遊技領域を移動する遊技球が入球可能な始動入球手段と、始動入球手段に入球した遊技球を検知する始動入球検知手段と、可変入球手段の開閉制御を行う主制御手段とを備え、特定領域に遊技球が入球した場合には、当該遊技球が特定入球手段及び非特定入球手段のどちらに入球する場合であっても遊技者に所定数の遊技価値（遊技球）が付与され、主制御手段は、始動入球検知手段の検知に基づいて、可変入球手段を第１時間だけ１回又は複数回開状態とさせる小当たり状態、又は、可変入球手段を前記第１時間よりも長い第２時間開状態とさせる、又は、開状態とされた可変入賞手段に規定個数の遊技球が入球するまでを１ラウンドとして、これを規定回数繰り返す大当たり状態を発生させるか否かの当否抽選を行い、当否抽選にて小当たりに当選した場合には小当たり状態を発生させ、当否抽選にて大当たりに当選した場合、及び、特定入球検知手段の検知があった場合には大当たり状態を発生させるといった遊技機に適用してもよい。加えて、パチンコ機以外にも、アレンジボール機、それに類する雀球等の各種遊技機、回胴式遊技機としてのスロットマシンや、スロットマシンとパチンコ機とを融合した形式の遊技機などとして実施してもよい。
【０１７４】
［付記］
上記実施形態から把握できる技術的思想について、以下に記載する。
【０１７５】
手段１．複数種類の識別情報を変動表示可能な視認領域を有する可変表示手段を備え、
所定条件成立に基づいて行われる抽選の結果が、前記可変表示手段の視認領域において停止表示される識別情報によって教示可能に構成された遊技機であって、
前記可変表示手段は、
略円筒状に構成されるとともに、その外周面において複数種類の識別情報が周方向に沿って配列された識別情報列を有する回転体と、
前記回転体を軸支するとともに、前記回転体を回転させることで前記識別情報を変動表示させる回転駆動手段と、
情報部を有する情報手段とを備え、
前記回転体の回転軸線方向において、前記回転体と前記情報手段とが相対的に変位可能に構成され、
前記情報手段の前記情報部は、前記回転体との相対変位に伴って、前記視認領域において遊技者から視認可能な状態と視認不可能な状態とに状態変化するとともに、
前記回転体は、前記情報手段のうち少なくとも前記情報部を内側に収容した状態で回転可能に構成されていることを特徴とする遊技機。
【０１７６】
手段１によれば、情報手段の情報部を視認可能な状態としたり視認不可能な状態としたりすることで、可変表示手段の視認領域の態様を変化させたり、視認できなかった情報部が視認可能となることに対応付けして、所定の情報を遊技者に教示又は示唆したりすることができる。従って、可変表示手段における視認態様に回転体の回転動作以外の変化をつけることができ、演出性の向上等を図ることができる。
【０１７７】
また、回転体の内側空間を情報手段の収納スペースとして有効利用することができ、可変表示手段の大型化を抑制しつつ、演出の多様化等を図ることができる。
【０１７８】
尚、情報部が視認不可能となる状況としては、情報部が可変表示手段の視認領域外に位置している状況や、情報部が視認領域に位置していても、回転体の内側に位置している（回転体のうちその内周側を視認不可能とされている部位の内側に位置している）状況が挙げられる。また、情報部が視認可能となる状況としては、可変表示手段の視認領域において情報部が回転体の外に位置している状況や、情報部が回転体の内側に位置しているが、回転体のうち情報部が位置している部位が透明材料によって構成されて内周側を視認可能とされている透過部であるといった状況が挙げられる。尚、情報手段は、回転体との相対変位に伴って、回転体の内側に位置する状態と、回転体の外側に位置する状態とに状態変化可能な情報部を備えていることとしてもよい。この場合、回転体に透明な部位（透過部）を形成しなくても、回転体に対して情報部を出没させて情報部を視認させたり視認不可能としたりすることができる。また、情報手段は回転体に対して回転体の回転軸線方向において相対的に変位可能に構成されるが、情報手段自体が必ずしも変位可能に構成されていなくてもよい。
【０１７９】
また、情報手段としては、情報部が視認可能な状態と視認不可能な状態とに状態変化することで遊技者に所定の情報を教示又は示唆することができるため、必ずしも情報手段自身の態様が変化する等して情報手段単体で複数パターンの情報を示唆可能なもの（例えば、複数種類の識別情報が付されたリールや可動式のフィギュア等）でなくてもよく、自身の視認態様を変化させることができないもの（例えば、フィギュア等）であってもよい。勿論、情報手段自身の態様を変化させることができるものであれば、情報部が視認不可能な状態と、情報部が第１の態様で視認される状態と、情報部が第２の態様で視認される状態とに状態変化可能といった具合に教示又は示唆できるパターンをより多様化させることができる。また、情報部が複数ある場合には、情報部が視認可能な状態及び視認不可能な状態としては、必ずしも全ての情報部が一斉に視認可能な状態と視認不可能な状態に切替わることを意味するものではなく、情報部のいずれかが回転体との相対変位に伴って、視認可能な状態と視認不可能な状態とに状態変化するといった趣旨を含むものであり、例えば、第１の情報部が視認されるとともに第２の情報部が視認不可能とされる状態と、第１の情報部が視認不可能とされるとともに第２の情報部が視認可能とされる状態とに切替可能に構成されていることとしてもよい。
【０１８０】
尚、「前記可変表示手段は、前記識別情報列を１列ずつ表示可能な識別情報列表示領域を前記回転体の回転軸線方向において並ぶようにして複数備え、前記情報部が視認不可能な状態では、所定の前記識別情報列表示領域において前記情報部が前記回転体の所定部位の内側に収容状態とされ、前記情報部が視認可能な状態では、前記回転体の所定部位及び前記情報部のうち少なくとも一方が前記所定の識別情報列表示領域外（例えば、別の識別情報列表示領域）に変位すること」としてもよい。この場合、可変表示手段の視認態様をより大きく変化させるとともに、識別情報列及び情報部のそれぞれをより明確に認識させることができる。従って、演出性の向上、遊技性の向上等を図ることができる。
【０１８１】
手段２．前記可変表示手段は、前記回転体を前記回転駆動手段とともに前記回転体の回転軸線方向において変位させるスライド手段を備えていることを特徴とする手段１に記載の遊技機。
【０１８２】
手段２によれば、回転体が回転体の回転軸線方向においてスライド可能に構成されているため、情報部を回転体で隠したり、情報部をそのままの位置で視認可能となるように出現させたりすることができる。すなわち、回転体及び情報手段のうち外周側に位置する方である回転体をスライドさせることで、視認領域における所定の場所において視認される対象を回転体の識別情報としたり、情報手段の情報部としたりして切替えることができる。従って、可変表示手段における視認態様を劇的に変化させることができ、演出性の向上をより一層図ることができる。
【０１８３】
さらに、回転体がスライドすることによって情報手段を見せたり隠したりすることができるため、情報手段がスライド不可能に構成される場合でも、回転体及び情報手段の両方の視認態様に回転以外の変化を与えることができる。従って、少ない動きで回転体及び情報手段による視認態様をよりダイナミックに変化させることができる。
【０１８４】
尚、「前記可変表示手段は、前記識別情報列を１列ずつ表示可能な識別情報列表示領域を前記回転体の回転軸線方向において並ぶようにして複数備え、前記情報手段が視認不可能な状態で所定の前記識別情報列表示領域において表示される前記回転体の識別情報列は、前記情報手段が視認可能な状態とされることで前記所定の前記識別情報列表示領域外に変位すること」としてもよい。この構成を採用する場合、情報部を視認可能な状態と視認不可能な状態では回転体の所定の識別情報列が視認可能な位置（識別情報列表示領域）が変わる。従って、情報手段が見えたり隠れたりするというだけではなく、回転体の識別情報列が動く（表示位置がずれる、或いは、視認可能な状態と不可能な状態に切替わる）こととなり、視認態様がよりダイナミックに変貌することとなり、演出性の向上等を図ることができる。また、当該構成を採用する場合において、「前記情報手段が視認可能な状態で前記回転体の所定の識別情報列が視認される前記識別情報列表示領域は、前記情報手段が視認不可能な状態で前記所定の識別情報列が視認される前記識別情報列表示領域とは異なること」としてもよい。さらに、「前記回転体のうち所定の識別情報列の構成部位の内側に前記情報手段の前記情報部を収容可能に構成され、当該情報部が視認可能な状態と、視認不可能な状態とでは、複数ある前記識別情報列表示領域のうち、前記所定の識別情報列が視認可能とされる前記識別情報列表示領域が異なること」としてもよい。これらの構成を採用する場合、情報部が視認可能な状態となっても、回転体の所定の識別情報列で視認態様の一部を構成することができる。
【０１８５】
加えて、「前記可変表示手段は、前記識別情報列を１列ずつ表示可能な識別情報列表示領域を前記回転体の回転軸線方向において並ぶようにして複数備え、（前記情報手段は、前記回転体の回転軸線方向と同方向に延びる回転軸線を中心に回転可能に構成されるとともに、その外周面において複数種類の識別情報が回転方向に沿って配列された前記情報部としての識別情報列を備え、）前記回転体には、少なくとも前記情報部を内側に収容可能な部位の外周において前記識別情報列が設けられるとともに、当該識別情報列は、前記情報部を視認可能とした状態において、前記情報部を内側に収容して視認不可能とした状態のときに視認されていた前記識別情報列表示領域とは異なる前記識別情報列表示領域で視認可能に構成されていること」としてもよい。この場合、情報部を視認可能とする際に、回転体のうち情報部を隠していた部位に設けられ、かつ、所定の識別情報列表示領域において視認されていた識別情報列を別の識別情報列表示領域に移動させることで、前記所定の識別情報列表示領域では邪魔になった回転体の識別情報列を別の識別情報列表示領域で有効活用する（変動表示させる）ことができる。従って、効率よく複数の識別情報列表示領域の態様を一辺に変化させることができる。また、態様例として、回転体は、回転軸線方向に並ぶようにして第１識別情報列と第２識別情報列とを備えるとともに、第１識別情報列が設けられた部位の内側に情報部を収容可能に構成され、情報部を露出させて視認可能とする場合には、情報部が視認不可能な状態の時に第２識別情報列が視認されていた識別情報列表示領域において第１識別情報列を視認可能に構成されていることとしてもよい。
【０１８６】
手段３．前記情報手段は、前記回転体の回転軸線方向と同方向に延びる回転軸線を中心に独立して（前記回転体の回転とは切り離して）回転可能に構成されるとともに、前記情報部の外周面においては複数種の識別情報が周方向に沿って配列された識別情報列を有していることを特徴とする手段１又は２に記載の遊技機。
【０１８７】
手段３によれば、情報手段においても識別情報列が設けられていることによって、回転体の識別情報列とは別のタイミングで停止表示させることのできる識別情報列を得ることができる。さらに、上記手段１に記載のように回転体と情報手段とが回転体の回転軸線方向において相対変位することで、回転体及び情報手段にそれぞれ設けられた識別情報列の相対位置関係等が切り替わることから、識別情報列の組合わせや、視認領域の所定部位における識別情報の配列等を切り替えることができる。従って、可変表示手段の視認領域における識別情報の視認態様、ひいては、識別情報の変動表示の多様化を図ることができる。
【０１８８】
また、情報手段の回転軸線方向が回転体の回転軸線方向と揃っているため、情報手段の長手方向の長さを回転体の直径よりも長くすることができ、例えば、情報手段の情報部を複数設ける等、情報手段の多様化を図ることができる。さらに、情報手段を軸支する軸支部や回転駆動手段を情報手段の外周よりも内側に設ける、又は軸支部や回転駆動手段を情報手段に対して回転体の回転軸線方向に並べることができ、これにより、情報部の外周面を回転体の内周面に極力近づけるようにして、情報部の外周長を極力長く（直径を極力大きく）構成することができる。
【０１８９】
尚、情報手段は、第１識別情報列を有する第１情報部と、第１識別情報列とは異なる識別情報の配列をなす第２識別情報列を有する第２情報部とを備え、前記回転体と前記情報手段とが回転体の回転軸線方向に相対変位することで、前記第１情報部が視認不可能とされるとともに第２情報部が視認可能とされる状態と、第１情報部が視認可能とされるとともに第２情報部が視認不可能とされる状態とに状態変化可能に構成されていることとしてもよい。この場合、可変表示手段の視認態様を複数パターンで、可変表示手段の視認領域において複数の識別情報列が段階的に停止表示されるよう構成することができる。
【０１９０】
手段４．前記可変表示手段は、その視認領域の一部又は全体において、前記回転体及び前記情報手段を視認不可能な状態と視認可能な状態とに切替可能な遮蔽手段を備え、
前記遮蔽手段は、
前記回転体の回転軸方向において移動している途中の前記回転体及び前記情報手段を隠す、又は／及び、
前記情報手段が視認可能な状態とされた場合に、前記回転体を隠すことができるように構成されていることを特徴とする手段１乃至３のいずれかに記載の遊技機。
【０１９１】
手段４によれば、回転体、情報手段、及び遮蔽手段が混然一体となった演出を行うことができ、演出性の向上を図ることができる。また、遮蔽手段によって、回転体及び情報手段の好ましくない動作や部位を一時的に隠したり、各種遊技状況における遊技方法等のナビゲート（遮蔽手段の視認面に所定の情報を付す等してもよい）をしたりすることができる。
【０１９２】
尚、「前記可変表示手段は、前記遮蔽手段として、部位毎に光の透過具合を電気的に調節可能なパネル部を有し、前記パネル部の部位毎に前記パネル部の裏面側を透視可能な透過状態と、透視不可能な非透過状態とに状態変化可能な透過型表示手段を備え、前記回転体及び前記情報手段は、前記透過型表示手段の前記パネル部越しに視認可能に配置されていること」としてもよい。この場合、回転体や情報手段の手前側に設けられたパネル部を透過状態と非透過状態とに切り替えたり、パネル部において回転体や情報手段の動作に連動するオブジェクト画像を表示したりする等して、回転体、情報手段、及び透過型表示手段が混然一体となった演出を行うことができ、演出性の向上を図ることができる。また、透過型表示手段によって、回転体及び情報手段の好ましくない動作や部位を一時的に隠したり、各種遊技状況における遊技方法等のナビゲートをしたりすることができる。加えて、パネル部は、透過状態及び非透過状態だけでなく、画像オブジェクトを半透明にして、パネル部における画像オブジェクトが認識でき、かつ、当該画像オブジェクト越しに回転体又は情報手段が認識できるような半透過状態にも状態変化可能としてもよい。
【０１９３】
手段５．前記回転体には、当該回転体の内周側を透視可能な透過部が、当該回転体の周方向全域にわたって連続的に形成されていることを特徴とする手段１乃至４のいずれかに記載の遊技機。
【０１９４】
手段５によれば、透過部は回転体の周方向全域にわたって連続して形成されているため、例えば、情報部を透過部の内周側に位置させておけば、回転体がどの回転位相にあっても、情報部を視認可能とすることができる。従って、回転体が回転していても、或いは、回転体がどの回転位相で停止されていても透過部の内周側のものを比較的はっきりと視認させることができる。これにより、回転体及び情報手段による演出バリエーションを増やすことができる。
【０１９５】
また、情報手段の情報部が回転体の内側に位置している状態でも透過部を介して情報部を視認可能にすることができる。さらに、回転体の回転軸線方向において、回転体の外周面における表示によって挟まれる位置に情報手段の情報部を視認させることもできる。従って、視認態様のバリエーションを増やすことができ、演出性の向上を図ることができる。
【０１９６】
手段６．前記透過部の内周側に配置される演出手段が設けられ、
前記回転体の回転軸線方向において、前記演出手段と前記情報手段とは相対変位可能に構成されるとともに、前記演出手段と前記回転体とは相対変位不可能に構成され、
前記情報手段は、前記回転体の内側に挿入可能に構成されるとともに、前記演出手段を内側に挿入可能に構成され、
前記演出手段は、前記回転体と前記情報手段との相対変位に伴って、前記情報手段の内側に位置する収容状態と、前記情報手段の外側に位置する非収容状態とに状態変化可能に構成されていることを特徴とする手段５に記載の遊技機。
【０１９７】
手段６によれば、回転体の透過部を介して視認される態様を情報手段と演出手段とに変化させることができ、演出性の向上等を図ることができる。尚、情報手段についても回転体（第１回転体）と同じく、第１回転体と同じく略円筒状の回転体（第２回転体）として構成される場合、本手段の演出手段は、第１回転体と第２回転体とが回転軸方向に相対変位することで第２回転体に出没することから、情報手段（第２情報手段）として捉えることもできる。
【０１９８】
手段７．前記可変表示手段において前記抽選にて当選した旨を教示する変動表示が行われる場合には、抽選の結果が教示される前段階として、前記可変表示手段において特定の態様が導出されるリーチ状態が発生し、また、前記可変表示手段において前記抽選にて当選しなかった旨を教示する変動表示が行われる場合にも、前記リーチ状態が発生し得る構成であって、
前記回転体の識別情報だけで前記特定の態様を導出し得ることを特徴とする手段１乃至６のいずれかに記載の遊技機。
【０１９９】
手段７によれば、回転体の識別情報だけでリーチ状態であることを示す特定の態様を導出することが可能となる。つまり、回転体に設けられた複数の識別情報列は、１つの回転駆動手段を駆動させることで変動表示させることができるため、リーチ状態になることを前提とした演出表示を行う際の制御の簡素化を図ることができる。
【０２００】
尚、手段５に対応して、「前記回転体は当該回転体の回転軸線方向中間部位において前記透過部を備えるとともに、前記回転体の外周面には前記透過部を挟んで少なくとも一対の識別情報列が形成され、前記可変表示手段の前記視認領域から前記回転体の透過部の両速報の識別情報列の識別情報を視認させるようにして前記回転体を停止させることで、当該回転体の識別情報だけで前記特定の態様を導出し得るとともに、前記透過部から前記情報手段の識別情報列を露出させ、当該情報手段の識別情報と前記回転体の識別情報とで、特別遊技状態の発生を教示する識別情報の組合わせを導出可能に構成されていること」としてもよい。この場合、回転体の識別情報と情報手段の識別情報との組合わせで特別遊技状態の発生が教示されることから、変動表示の単調感を抑制することができる。また、リーチ状態発生後の変動表示は視認領域の中心部を中心に展開されることから、変動表示の行方を注視し易くなる。
【０２０１】
手段８．前記回転体は、前記回転駆動手段によって軸支されるとともに、前記情報手段にも支持されていることを特徴とする手段１乃至７のいずれかに記載の遊技機。
【０２０２】
手段８によれば、回転体が回転駆動手段だけでなく情報手段によっても支持されるため、回転体を比較的安定して回転させることができる。特に、手段５に対応しては、回転体の透過部を挟んだ一方側と他方側とをそれぞれ回転駆動手段及び情報手段の少なくとも一方で支持することができ、透過部の内周側に回転体を支持する構成を設ける等して意匠性が低下するといった事態を回避しつつ、回転体を安定して回転させることができる。
【０２０３】
尚、前記情報手段は、当該情報手段に対して相対変位不可能に設けられるとともに、前記回転体（の内周面）又は前記回転体に対して相対変位不可能に設けられた連動部材（第１連結軸４６１）に対して、前記回転体と前記情報手段との相対変位方向に沿って摺接可能に構成された支持手段（第２連結軸４６２やガイド凸部４６９）を備えていることとしてもよい。
【０２０４】
手段９．前記情報手段から前記情報部よりも前記回転体の外周側に突出するガイド凸部が設けられ、少なくとも前記回転体と前記情報手段とが相対的に傾いた場合に前記ガイド凸部と前記回転体の内周面とが接触可能に構成されていることを特徴とする手段８に記載の遊技機。
【０２０５】
手段９によれば、回転体や情報手段が基準の姿勢から傾いた場合に、ガイド凸部と回転体の内周面とが接触し得るように構成することで、回転体及び情報手段のそれ以上の傾倒を抑止することができ、回転体及び情報手段や、これらを支持する構成の損傷を抑制することができる。また、回転体や情報手段が傾いたとしても、回転体が情報部に接触する前にガイド凸部で回転体を受けて、回転体が情報部に接触しないように構成することができる。従って、情報部の損傷を防止することができる。
【０２０６】
尚、ガイド凸部は回転体と情報手段とがどの相対位置関係にあっても回転体の内側に位置していることとしてもよい。この場合上記作用効果がより確実に奏される。また、上記手段５のように、回転体が透過部を備える場合、前記ガイド凸部は前記回転体の回転軸線方向における前記回転体と前記情報手段との相対変位に際しても前記透過部と接触し得ないように（透過部を横切らないように）配置されていることとしてもよい。この場合、ガイド凸部によって透過部が損傷してしまうといった事態を防止することができる。また、ガイド凸部は、支持手段として単独で用いることもできるし、ガイド凸部とは別に設けられた支持手段の損傷等を防止するものとして用いることもできる。
【０２０７】
手段１０．中心軸線が前記回転体の回転軸線と一致するようにして前記回転体に対して相対変位不可能に設けられる略円筒状又は略円柱状の第１連結軸と、
前記情報手段に対して相対変位不可能に設けられ、前記第１連結軸に対して回転自在に連結される略円柱状又は略円筒状の第２連結軸とを備え、
前記回転体と前記情報手段とがどのような相対位置関係にあっても、前記第１連結軸及び前記第２連結軸のうち一方が他方の内周側に挿入状態とされていることを特徴とする手段８又は９に記載の遊技機。
【０２０８】
手段１０によれば、第１連結軸及び第２連結軸を介して、回転体と情報手段とが回転自在に連結されている。これにより、第１連結軸及び第２連結軸を介して、回転体と情報手段とが互いに支え合うように構成することができ、上記手段８の作用効果が確実に奏される。
【０２０９】
また、本手段１０では、回転体の内周面と情報手段とを常に接触させなくても、情報手段が第１及び第２連結軸を介して回転体を支持可能となっている。このため、回転体が比較的大きく振れた場合にだけ回転体と情報手段とが接触する、或いは全く接触しない構成としても（上記手段９のガイド凸部を補助的なものとしても）、回転体を安定して支持することができる。従って、回転体と情報手段との直接の摩耗に起因する不具合を抑制することができる。
【０２１０】
尚、第１連結軸が少なくとも筒状に構成され、第２連結軸が第１連結軸の内側に挿入される構成とした上で、手段６に記載の演出手段に貫通孔を形成して、当該貫通孔に第１連結軸を挿通させるとともに、回転体の回転軸線方向における演出手段と第１連結軸との相対変位を規制する変位規制手段を設けることとしてもよい。この場合、回転体の回転軸方向において回転体と演出手段との相対変位を防止することができる。また、変位規制手段と演出手段との間に若干の隙間を設けることで、回転体が回転しても演出手段が回転しないように構成することができ、回転体の回転中でも、或いは回転体がどの回転位相で停止されても演出手段の視認態様（姿勢）をほぼ一定にすることができる。
【０２１１】
手段１１．前記回転体と前記回転駆動手段の駆動軸とを相対変位不可能に連結する連結手段が前記回転体とは別体として構成されていることを特徴とする手段１乃至１０のいずれかに記載の遊技機。
【０２１２】
手段１１によれば、回転体と連結手段とが一体形成されている場合に比べ、回転駆動手段の駆動軸を回転体に連結する作業を比較的容易なものとすることができる。特に、可変表示手段の大型化を抑制するべく、回転駆動手段の少なくとも一部（駆動軸）を回転体の内側に位置させる場合や、上記手段１０のように、前記連結手段に対して前記回転駆動手段とは反対側に前記第１連結軸を連結する場合においては、かかる作用効果が一層顕著なものとなる。
【０２１３】
以下に、上記各手段が適用される各種遊技機の基本構成を示す。
【０２１４】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【０２１５】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【０２１６】
Ｃ．上記各手段における前記遊技機、又は、上記各弾球遊技機は、パチンコ機又はパチンコ機に準ずる遊技機であること。
【０２１７】
Ｄ．上記各手段における遊技機は、スロットマシン等の回胴式遊技機であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成した回胴式遊技機」が挙げられる。
【０２１８】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【符号の説明】
【０２１９】
１０…パチンコ機、３２…可変入賞装置、３３…始動入賞ユニット、３３ａ…上入賞口、３３ｂ…下入賞口、４２…装飾図柄表示装置、４３Ｌ，４３Ｒ…特別表示装置、４６…保留ランプ、２２４ａ，２２４ｂ…始動入賞スイッチ、２６１…主制御装置、２６２…サブ制御装置、４０１…液晶表示装置、４０２…液晶パネル、４０８…リール表示装置、４１１…第１リール、４１２…第１回転モータ、４１３…スライド機構、４１４…第２リール、４６１…第１連結軸、４６２…第２連結軸。
【図１】
0005803141.tif 000002
【図２】
0005803141.tif 000003
【図３】
0005803141.tif 000004
【図４】
0005803141.tif 000005
【図５】
0005803141.tif 000006
【図６】
0005803141.tif 000007
【図７】
0005803141.tif 000008
【図８】
0005803141.tif 000009
【図９】
0005803141.tif 000010
【図１０】
0005803141.tif 000011
【図１１】
0005803141.tif 000012
【図１２】
0005803141.tif 000013
【図１３】
0005803141.tif 000014
【図１４】
0005803141.tif 000015
【図１５】
0005803141.tif 000016
【図１６】
0005803141.tif 000017